(57)【要約】【課題】伸縮機構露出防止ウエスト周り伸縮自在ボトムズにおいて、量産性を損なわず見栄え・美観を良好に保ちつつウエストサイズを伸縮自在とできるとともに、着用者等が伸縮機構を壊してしまうという事態を確実に防止できること。【解決手段】スーツ用ズボン１においては、収容部３Ａの表裏の端３Ａｂがベルト部３の長手方向に対して略垂直であるため、ウエスト周り伸縮自在の性能を確保しながら、見栄え・美観が良好に保たれるとともに、全ての縫製作業をミシン縫いで行うことができる。また、延出部３Ｂの内部に伸縮性を有しない生地６の上端が縫付けられて、下端がベルト部３の下端に縫付けられているため、着用者等が興味本位で延出部３Ｂの下端をめくっても伸縮性を有しない生地６の一部が見えるだけで、ゴムテープ１０，伸び止め材１１等の内部構造は見えないため、内部構造を引き出して伸縮自在構造を壊してしまうという事態を確実に防止できる。【選択図】図３
2009074199.tif 000002
【特許請求の範囲】
【請求項１】
芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、
前記収容部の端を表裏とも前記ベルト部の長手方向に対して略垂直にするとともに、前記延出部の内部に伸縮性を有しない生地の上端を縫付けて、前記伸縮性を有しない生地の下端を前記延出部の下端に縫付けたことを特徴とする伸縮機構露出防止ウエスト周り伸縮自在ボトムズ。
【請求項２】
芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、
前記収容部の端を表裏とも前記ベルト部の長手方向に対して略垂直にするとともに、前記延出部の折り返し部分の内部に両面接着芯を挟んでアイロンでプレスして前記延出部の折り返し部分を接着したことを特徴とする伸縮機構露出防止ウエスト周り伸縮自在ボトムズ。
【請求項３】
芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、
前記収容部の端を表裏とも前記ベルト部の長手方向に対して略垂直にするとともに、前記延出部の表側から裏側にかけて貫通するように前記延出部の中間部分を前記ベルト部の長手方向に沿って縫付けたことを特徴とする伸縮機構露出防止ウエスト周り伸縮自在ボトムズ。
【請求項４】
前記ウエスト周り伸縮自在ボトムズは両脇に脇ポケットが設けられ、前記脇ポケットの近傍に前記ベルト部の重ね合せ部が設けられたことを特徴とする請求項１乃至請求項３のいずれか１つに記載の伸縮機構露出防止ウエスト周り伸縮自在ボトムズ。
【請求項５】
前記ウエスト周り伸縮自在ボトムズは両脇の脇線に沿ってタックが設けられ、前記タックの近傍に前記ベルト部の重ね合せ部が設けられたことを特徴とする請求項１乃至請求項３のいずれか１つに記載の伸縮機構露出防止ウエスト周り伸縮自在ボトムズ。
【請求項６】
前記脇線にポケット口を有する脇中間ポケットが設けられたことを特徴とする請求項５に記載の伸縮機構露出防止ウエスト周り伸縮自在ボトムズ。
【請求項７】
前記脇線の近傍の前中心よりにポケット口を有するポケットが設けられたことを特徴とする請求項５に記載の伸縮機構露出防止ウエスト周り伸縮自在ボトムズ。
【請求項８】
前記ウエスト周り伸縮自在ボトムズは両脇に脇ポケットが設けられるとともに両脇と前中心との間にタックが設けられ、前記タックの近傍に前記ベルト部の重ね合せ部が設けられたことを特徴とする請求項１乃至請求項３のいずれか１つに記載の伸縮機構露出防止ウエスト周り伸縮自在ボトムズ。
【請求項９】
前記ウエスト周り伸縮自在ボトムズは両脇に脇ポケットが設けられるとともに前記脇ポケットの前中心側の裏側にタックが設けられ、前記タックの近傍に前記ベルト部の重ね合せ部が設けられたことを特徴とする請求項１乃至請求項３のいずれか１つに記載の伸縮機構露出防止ウエスト周り伸縮自在ボトムズ。
【請求項１０】
前記ウエスト周り伸縮自在ボトムズは両脇にＬポケットが設けられ、前記Ｌポケットの開口部の前中心側の近傍に前記ベルト部の重ね合せ部が設けられたことを特徴とする請求項１乃至請求項３のいずれか１つに記載の伸縮機構露出防止ウエスト周り伸縮自在ボトムズ。
【請求項１１】
前記ウエスト周り伸縮自在ボトムズは両脇にＬポケットが設けられるとともに前記Ｌポケットの前中心側の裏側にタックが設けられ、前記タックの近傍に前記ベルト部の重ね合せ部が設けられたことを特徴とする請求項１乃至請求項３のいずれか１つに記載の伸縮機構露出防止ウエスト周り伸縮自在ボトムズ。
【請求項１２】
前記ウエスト周り伸縮自在ボトムズは両脇にＬポケットが設けられるとともに前記Ｌポケットの脇線部分の表側にタックが設けられ、前記タックの近傍に前記ベルト部の重ね合せ部が設けられたことを特徴とする請求項１乃至請求項３のいずれか１つに記載の伸縮機構露出防止ウエスト周り伸縮自在ボトムズ。
【請求項１３】
前記ウエスト周り伸縮自在ボトムズは両脇にＬポケットが設けられるとともに前記Ｌポケットの脇線部分の裏側にタックが設けられ、前記タックの近傍に前記ベルト部の重ね合せ部が設けられたことを特徴とする請求項１乃至請求項３のいずれか１つに記載の伸縮機構露出防止ウエスト周り伸縮自在ボトムズ。
【請求項１４】
前記収容部の開口端の近傍の内面に伸縮性を有しない生地からなる裏地または伸縮性を有しない生地からなる接着布を縫付け、または貼り付けたことを特徴とする請求項１乃至請求項１３のいずれか１つに記載の伸縮機構露出防止ウエスト周り伸縮自在ボトムズ。
【発明の詳細な説明】
【技術分野】
【０００１】
本発明は、ベルト部に重ね合せ部を備えたウエスト部を有する被服、すなわち、スーツ用ズボンや綿パン等のパンツ（ズボン）、スカート、キュロットスカート等（以下、「ボトムズ（bottoms）」という）のウエストサイズを伸縮自在としたボトムズの伸縮機構の露出を防止する伸縮機構露出防止ウエスト周り伸縮自在ボトムズに関するものである。
【背景技術】
【０００２】
一般に、パンツ（ズボン）等のボトムズの既製品のベルト部のサイズは、例えば、６９ｃｍ、７２ｃｍ、７５ｃｍといったように所定間隔で設定されており、購入者は自己のベルトサイズに近いものを選択して購入し、自己のベルトサイズに修正したり、革ベルト等によって矯正したりして着用している。しかしながら、ベルトサイズを修正する場合には修正作業が必要で手間及び費用を要し、革ベルト等によって矯正する場合にはパンツ等のベルト部にシワが生じてテザイン的に好ましくなく、更に着用した際の快適性も劣るという問題がある。
【０００３】
そこで、これを解決したものとして、本発明者の発明に係る特許文献１及び特許文献２に記載された特許発明等の技術が公知である。すなわち、パンツ等のベルト部の横側、前側の一部にゴム等の弾性材を介在させ、この弾性材によってベルトサイズを伸縮させることができるようにしたものである。更に、本発明者は、これらの特許発明を改良して、伸縮自在にするために形成されている隙間を広げたときでもその見栄えを良くするとともに、滑らかな伸縮が可能な被服のウエストサイズ伸縮自在構造についての発明をし、この発明について特許出願をして特許を受けている（特許文献３）。
【０００４】
この特許文献３に開示された特許発明においては、主弾性材の弾性力により収容部に挿入された延出部が収容部裏地のみと摺接するためその接触抵抗が少なくなり、延出部と収容部との滑らかな動きが可能となるとともに、収容部の表側及び裏側から見た収容部の内側には収容部裏地が取付けられているので、ウエスト部の芯材が見えたりして商品イメージを低下させるということがない。
【特許文献１】特許第２５７８０７９号公報
【特許文献２】特許第２５１８８０４号公報
【特許文献３】特許第３９６４５９５号公報
【発明の開示】
【発明が解決しようとする課題】
【０００５】
しかしながら、特許文献３に記載の技術においては、着用者等が主弾性材の弾性力に抗して収容部から延出部を引き出した場合に、興味本位で延出部の下端をめくって見ると主弾性材等の伸縮機構の内部構造が見えるため、主弾性材等の伸縮機構を無理に引き出して壊してしまう恐れがある。これに対して、収容部の端面の裏側を延出部の端を覆うように斜めにするという対策も考えられるが、そうすると収容部の端面の斜め部分の縫製を人手で行う必要があるため量産性が損なわれ、また商品として陳列された場合に、収容部の端面の表裏が真っ直ぐでないため美観が損なわれるという問題点があった。
【０００６】
そこで、本発明においては、量産性を損なうことなく、見栄え・美観を良好に保ちつつウエストサイズを伸縮自在とすることができるとともに、着用者等が伸縮機構を壊してしまうという事態を確実に防止できる伸縮機構露出防止ウエスト周り伸縮自在ボトムズの提供を課題とする。
【課題を解決するための手段】
【０００７】
請求項１の発明に係る伸縮機構露出防止ウエスト周り伸縮自在ボトムズは、芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、前記収容部の端を表裏とも前記ベルト部の長手方向に対して略垂直にするとともに、前記延出部の内部に伸縮性を有しない生地の上端を縫付けて、前記伸縮性を有しない生地の下端を前記延出部の下端に縫付けたものである。
【０００８】
ここで、「伸縮性を有しない生地」としては、ポリエステル系の生地、ナイロン系の生地、等があり、これらの生地は裏地やスレーキ（ジーンズのＬポケットの袋布）、リボンテープ等の部材に用いられる。
【０００９】
請求項２の発明に係る伸縮機構露出防止ウエスト周り伸縮自在ボトムズは、芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、前記収容部の端を表裏とも前記ベルト部の長手方向に対して略垂直にするとともに、前記延出部の折り返し部分の内部に両面接着芯を挟んでアイロンでプレスして前記延出部の折り返し部分を接着したものである。
【００１０】
請求項３の発明に係る伸縮機構露出防止ウエスト周り伸縮自在ボトムズは、芯材を有するベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、ベルト部の見掛け上の長さを伸縮自在としたウエスト周り伸縮自在ボトムズであって、前記収容部の端を表裏とも前記ベルト部の長手方向に対して略垂直にするとともに、前記延出部の表側から裏側にかけて貫通するように前記延出部の中間部分を前記ベルト部の長手方向に沿って縫付けたものである。
【００１１】
請求項４の発明に係る伸縮機構露出防止ウエスト周り伸縮自在ボトムズは、請求項１乃至請求項３のいずれか１つの構成において、前記ウエスト周り伸縮自在ボトムズは両脇に脇ポケットが設けられ、前記脇ポケットの近傍に前記ベルト部の重ね合せ部が設けられたものである。
【００１２】
請求項５の発明に係る伸縮機構露出防止ウエスト周り伸縮自在ボトムズは、請求項１乃至請求項３のいずれか１つの構成において、前記ウエスト周り伸縮自在ボトムズは両脇の脇線に沿ってタックが設けられ、前記タックの近傍に前記ベルト部の重ね合せ部が設けられたものである。
【００１３】
請求項６の発明に係る伸縮機構露出防止ウエスト周り伸縮自在ボトムズは、請求項５の構成において、前記脇線にポケット口を有する脇中間ポケットが設けられたものである。
【００１４】
請求項７の発明に係る伸縮機構露出防止ウエスト周り伸縮自在ボトムズは、請求項５の構成において、前記脇線の近傍の前中心よりにポケット口を有するポケットが設けられたものである。
【００１５】
請求項８の発明に係る伸縮機構露出防止ウエスト周り伸縮自在ボトムズは、請求項１乃至請求項３のいずれか１つの構成において、前記ウエスト周り伸縮自在ボトムズは両脇に脇ポケットが設けられるとともに両脇と前中心との間にタックが設けられ、前記タックの近傍に前記ベルト部の重ね合せ部が設けられたものである。
【００１６】
請求項９の発明に係る伸縮機構露出防止ウエスト周り伸縮自在ボトムズは、請求項１乃至請求項３のいずれか１つの構成において、前記ウエスト周り伸縮自在ボトムズは両脇に脇ポケットが設けられるとともに前記脇ポケットの前中心側の裏側にタックが設けられ、前記タックの近傍に前記ベルト部の重ね合せ部が設けられたものである。
【００１７】
請求項１０の発明に係る伸縮機構露出防止ウエスト周り伸縮自在ボトムズは、請求項１乃至請求項３のいずれか１つの構成において、前記ウエスト周り伸縮自在ボトムズは両脇にＬポケットが設けられ、前記Ｌポケットの開口部の前中心側の近傍に前記ベルト部の重ね合せ部が設けられたものである。
【００１８】
請求項１１の発明に係る伸縮機構露出防止ウエスト周り伸縮自在ボトムズは、請求項１乃至請求項３のいずれか１つの構成において、前記ウエスト周り伸縮自在ボトムズは両脇にＬポケットが設けられるとともに前記Ｌポケットの前中心側の裏側にタックが設けられ、前記タックの近傍に前記ベルト部の重ね合せ部が設けられたものである。
【００１９】
請求項１２の発明に係る伸縮機構露出防止ウエスト周り伸縮自在ボトムズは、請求項１乃至請求項３のいずれか１つの構成において、前記ウエスト周り伸縮自在ボトムズは両脇にＬポケットが設けられるとともに前記Ｌポケットの脇線部分の表側にタックが設けられ、前記タックの近傍に前記ベルト部の重ね合せ部が設けられたものである。
【００２０】
請求項１３の発明に係る伸縮機構露出防止ウエスト周り伸縮自在ボトムズは、請求項１乃至請求項３のいずれか１つの構成において、前記ウエスト周り伸縮自在ボトムズは両脇にＬポケットが設けられるとともに前記Ｌポケットの脇線部分の裏側にタックが設けられ、前記タックの近傍に前記ベルト部の重ね合せ部が設けられたものである。
【００２１】
請求項１４の発明に係る伸縮機構露出防止ウエスト周り伸縮自在ボトムズは、請求項１乃至請求項１３のいずれか１つの構成において、前記収容部の開口端の近傍の内面に伸縮性を有しない生地からなる裏地または伸縮性を有しない生地からなる接着布を縫付け、または貼り付けたものである。
【発明の効果】
【００２２】
請求項１の発明に係る伸縮機構露出防止ウエスト周り伸縮自在ボトムズは、芯材を有するベルト部の重ね合せ部と、重ね合せ部の一方のベルト部側に設けられてその一端が延出するベルト部に形成された延出部と、重ね合せ部の他方のベルト部側に形成され、延出部を意匠面側から隠れるように収容する収容部と、延出部と収容部との間に両端が接続された主弾性材とを具備し、ベルト部の見掛け上の長さを伸縮自在としたウエスト周り伸縮自在ボトムズであって、収容部の端を表裏ともベルト部の長手方向に対して略垂直にするとともに、延出部の内部に伸縮性を有しない生地の上端を縫付けて、伸縮性を有しない生地の下端を延出部の下端に縫付けたものである。
【００２３】
ここで、「伸縮性を有しない生地」としては、ポリエステル系の生地、ナイロン系の生地、等があり、これらの生地は裏地やスレーキ（ジーンズのＬポケットの袋布）、リボンテープ等の部材に用いられる。
【００２４】
このように、収容部の端を表裏ともベルト部の長手方向に対して略垂直にするとともに、延出部の内部に伸縮性を有しない生地の上端を縫付けて、伸縮性を有しない生地の下端を延出部の下端に縫付けたことによって、ウエスト周り伸縮自在の性能を確保しながら、見栄え・美観が良好に保たれるとともに全ての縫製作業をミシン縫いで行うことができるため、量産性が向上する。
【００２５】
そして、伸縮性を有しない生地によって延出部の内部とベルト部の下端とが接続されているために、着用者等が主弾性材の弾性力に抗して収容部から延出部を引き出した場合に、興味本位で延出部の縫付けられていない部分の下端をめくろうとしても、内部構造は見ることができず伸縮性を有しない生地の一部が見えるだけで済むため、着用者等が主弾性材等の内部構造を引き出して伸縮自在構造を壊してしまうという事態を確実に防止することができる。
【００２６】
このようにして、量産性を損なうことなく、見栄え・美観を良好に保ちつつウエストサイズを伸縮自在とすることができるとともに、着用者等が伸縮機構を壊してしまうという事態を確実に防止できる伸縮機構露出防止ウエスト周り伸縮自在ボトムズとなる。
【００２７】
請求項２の発明に係る伸縮機構露出防止ウエスト周り伸縮自在ボトムズは、芯材を有するベルト部の重ね合せ部と、重ね合せ部の一方のベルト部側に設けられてその一端が延出するベルト部に形成された延出部と、重ね合せ部の他方のベルト部側に形成され、延出部を意匠面側から隠れるように収容する収容部と、延出部と収容部との間に両端が接続された主弾性材とを具備し、ベルト部の見掛け上の長さを伸縮自在としたウエスト周り伸縮自在構造を有する伸縮機構露出防止ウエスト周り伸縮自在ボトムズであって、収容部の端を表裏ともベルト部の長手方向に対して略垂直にするとともに、延出部の折り返し部分の内部に両面接着芯を挟んでアイロンでプレスして延出部の折り返し部分を接着したものである。
【００２８】
このように、ウエスト周り伸縮自在構造を構成する延出部と収容部のうち、収容部の端を表裏ともベルト部の長手方向に対して略垂直にするとともに、延出部の折り返し部分を両面接着芯で接着したことによって、ウエスト周り伸縮自在の性能を確保しながら、見栄え・美観が良好に保たれるとともに全ての縫製作業をミシン縫いで行うことができ、量産性が向上する。
【００２９】
そして、延出部の折り返し部分の内部に両面接着芯を挟んでアイロンでプレスして延出部の折り返し部分を接着しているために、着用者等が主弾性材の弾性力に抗して収容部から延出部を引き出した場合に、興味本位で延出部の縫付けられていない部分の下端をめくろうとしても、内部構造は見ることができず、両面接着芯の下部の延出部の裏側の一部が見えるだけで済むため、着用者等が主弾性材等の内部構造を引き出して伸縮機構を壊してしまうという事態を確実に防止することができる。
【００３０】
このようにして、量産性を損なうことなく、見栄え・美観を良好に保ちつつウエストサイズを伸縮自在とすることができるとともに、着用者等が伸縮機構を壊してしまうという事態を確実に防止できる伸縮機構露出防止ウエスト周り伸縮自在ボトムズとなる。
【００３１】
請求項３の発明に係る伸縮機構露出防止ウエスト周り伸縮自在ボトムズは、芯材を有するベルト部の重ね合せ部と、重ね合せ部の一方のベルト部側に設けられてその一端が延出するベルト部に形成された延出部と、重ね合せ部の他方のベルト部側に形成され、延出部を意匠面側から隠れるように収容する収容部と、延出部と収容部との間に両端が接続された主弾性材とを具備し、ベルト部の見掛け上の長さを伸縮自在としたウエスト周り伸縮自在ボトムズであって、収容部の端を表裏ともベルト部の長手方向に対して略垂直にするとともに、延出部の表側から裏側にかけて貫通するように延出部の中間部分をベルト部の長手方向に沿って縫付けたものである。
【００３２】
このように、ウエスト周り伸縮自在構造を構成する延出部と収容部のうち、収容部の端を表裏ともベルト部の長手方向に対して略垂直にするとともに、延出部の表側から裏側にかけて貫通するように延出部の中間部分をベルト部の長手方向に沿って縫付けたことによって、ウエスト周り伸縮自在の性能を確保しながら、見栄え・美観が良好に保たれるとともに全ての縫製作業をミシン縫いで行うことができ、しかも延出部を縫付ける作業が簡単になるため、量産性がより向上する。
【００３３】
なお、このような構成とすると、延出部の中間部分をベルト部の長手方向に沿って縫付けた部分が外側から見えることになるが、通常のボトムズはベルト部の上からベルトを着用するため、縫付けた部分はベルトの下に隠れて見えなくなるので問題はない。
【００３４】
そして、延出部の表側から裏側にかけて貫通するように延出部の中間部分をベルト部の長手方向に沿って縫付けているために、着用者等が主弾性材の弾性力に抗して収容部から延出部を引き出した場合に、興味本位で延出部の縫付けられていない部分の下端をめくろうとしても、内部構造は見ることができず、延出部の裏側の一部が見えるだけで済むため、着用者等が主弾性材等の内部構造を引き出して伸縮機構を壊してしまうという事態を確実に防止することができる。
【００３５】
このようにして、量産性をより向上させながら、見栄え・美観を良好に保ちつつウエストサイズを伸縮自在とすることができるとともに、着用者等が伸縮機構を壊してしまうという事態を確実に防止できる伸縮機構露出防止ウエスト周り伸縮自在ボトムズとなる。
【００３６】
請求項４の発明に係る伸縮機構露出防止ウエスト周り伸縮自在ボトムズにおいては、ウエスト周り伸縮自在ボトムズの両脇に脇ポケットが設けられ、脇ポケットの近傍にベルト部の重ね合せ部が設けられている。
【００３７】
これによって、請求項１乃至請求項３のいずれか１つに記載の効果に加えて、開閉のために生地の余裕がある脇ポケットの近傍にベルト部の重ね合せ部が設けられているため、ウエスト周り伸縮自在ボトムズのウエスト周りが伸縮する際に、身頃にシワがよることがなく、見栄えの良いウエスト周り伸縮自在ボトムズとなる。
【００３８】
このようにして、量産性を損なうことなく、見栄え・美観を良好に保ちつつウエストサイズを伸縮自在とすることができるとともに、着用者等が伸縮機構を壊してしまうという事態を確実に防止できる伸縮機構露出防止ウエスト周り伸縮自在ボトムズとなる。
【００３９】
請求項５の発明に係る伸縮機構露出防止ウエスト周り伸縮自在ボトムズにおいては、ウエスト周り伸縮自在ボトムズの両脇の脇線に沿ってタックが設けられ、タックの近傍にベルト部の重ね合せ部が設けられている。
【００４０】
これによって、請求項１乃至請求項３のいずれか１つに記載の効果に加えて、生地の余裕があるタックの近傍にベルト部の重ね合せ部が設けられているため、ウエスト周り伸縮自在ボトムズのウエスト周りが伸縮する際に、タックが開閉することによって身頃にシワがよることがなく、より見栄えの良いウエスト周り伸縮自在ボトムズとなる。
【００４１】
このようにして、量産性を損なうことなく、見栄え・美観を良好に保ちつつウエストサイズを伸縮自在とすることができるとともに、着用者等が伸縮機構を壊してしまうという事態を確実に防止できる伸縮機構露出防止ウエスト周り伸縮自在ボトムズとなる。
【００４２】
請求項６の発明に係る伸縮機構露出防止ウエスト周り伸縮自在ボトムズにおいては、脇線にポケット口を有する脇中間ポケットが設けられている。
【００４３】
これによって、請求項５に記載の効果に加えて、特に婦人用ボトムズに適したウエスト周り伸縮自在ボトムズとなる。その理由は、女性は骨盤が大きいので、婦人用ボトムズに通常の脇ポケットを設けると着用したときにポケット口が変形し易く余り好まれないが、このような脇中間ポケットを設けることによってポケット口が変形して見栄えを損なう恐れがないため、Ｌポケットと同様に婦人用ボトムズのポケットとして好ましいからである。
【００４４】
このようにして、量産性を損なうことなく、見栄え・美観を良好に保ちつつウエストサイズを伸縮自在とすることができるとともに、着用者等が伸縮機構を壊してしまうという事態を確実に防止できる、特に婦人用として適した伸縮機構露出防止ウエスト周り伸縮自在ボトムズとなる。
【００４５】
請求項７の発明に係る伸縮機構露出防止ウエスト周り伸縮自在ボトムズにおいては、脇線の近傍の前中心よりにポケット口を有するポケットが設けられている。
【００４６】
これによって、請求項５に記載の効果に加えて、特に婦人用ボトムズに適したウエスト周り伸縮自在ボトムズとなる。その理由は、女性は骨盤が大きいので、婦人用ボトムズに通常の脇ポケットを設けると着用したときにポケット口が変形し易く余り好まれないが、このように脇線にタックを設けて、その近傍にポケット口を有するポケットを設けることによって、ポケット口が変形して見栄えを損なう恐れがなくなるため、Ｌポケットと同様に婦人用ボトムズのポケットとして好ましいからである。
【００４７】
このようにして、量産性を損なうことなく、見栄え・美観を良好に保ちつつウエストサイズを伸縮自在とすることができるとともに、着用者等が伸縮機構を壊してしまうという事態を確実に防止できる、特に婦人用として適した伸縮機構露出防止ウエスト周り伸縮自在ボトムズとなる。
【００４８】
請求項８の発明に係る伸縮機構露出防止ウエスト周り伸縮自在ボトムズにおいては、ウエスト周り伸縮自在ボトムズの両脇に脇ポケットが設けられるとともに両脇と前中心との間にタックが設けられ、タックの近傍にベルト部の重ね合せ部が設けられている。
【００４９】
これによって、請求項１乃至請求項３のいずれか１つに記載の効果に加えて、生地の余裕があるタックの近傍にベルト部の重ね合せ部が設けられているため、ウエスト周り伸縮自在ボトムズのウエスト周りが伸縮する際に、タックが開閉することによって身頃にシワがよることがなく、より見栄えの良いウエスト周り伸縮自在ボトムズとなる。
【００５０】
このようにして、量産性を損なうことなく、見栄え・美観を良好に保ちつつウエストサイズを伸縮自在とすることができるとともに、着用者等が伸縮機構を壊してしまうという事態を確実に防止できる伸縮機構露出防止ウエスト周り伸縮自在ボトムズとなる。
【００５１】
請求項９の発明に係る伸縮機構露出防止ウエスト周り伸縮自在ボトムズにおいては、ウエスト周り伸縮自在ボトムズの両脇に脇ポケットが設けられるとともに脇ポケットの前中心側の裏側にタックが設けられ、タックの近傍にベルト部の重ね合せ部が設けられている。
【００５２】
これによって、請求項１乃至請求項３のいずれか１つに記載の効果に加えて、生地の余裕があるタックの近傍にベルト部の重ね合せ部が設けられているため、ウエスト周り伸縮自在ボトムズのウエスト周りが伸縮する際に、タックが開閉することによって身頃にシワがよることがなく、しかもタックが脇ポケットの内部に設けられているため外側から見えることがなく、より見栄えの良いウエスト周り伸縮自在ボトムズとなる。
【００５３】
このようにして、量産性を損なうことなく、見栄え・美観をより良好に保ちつつ、ウエストサイズを伸縮自在とすることができるとともに、着用者等が伸縮機構を壊してしまうという事態を確実に防止できる伸縮機構露出防止ウエスト周り伸縮自在ボトムズとなる。
【００５４】
請求項１０の発明に係る伸縮機構露出防止ウエスト周り伸縮自在ボトムズにおいては、ウエスト周り伸縮自在ボトムズの両脇にＬポケットが設けられ、Ｌポケットの開口部の前中心側の近傍にベルト部の重ね合せ部が設けられている。
【００５５】
これによって、請求項１乃至請求項３のいずれか１つに記載の効果に加えて、生地の余裕があるＬポケットの開口部の前中心側の近傍にベルト部の重ね合せ部が設けられているため、ウエスト周り伸縮自在ボトムズのウエスト周りが伸縮する際に身頃にシワがよることがなく、より見栄えの良いウエスト周り伸縮自在ボトムズとなる。特に、Ｌポケットの開口部の前中心側が伸縮性を有していると、更に見栄えが良くなる。
【００５６】
また、上述の如く、骨盤が大きい女性が着用した場合でも、このようなＬポケットを設けることによってポケット口が変形して見栄えを損なう恐れがないため、婦人用ボトムズとしても好ましい。
【００５７】
このようにして、量産性を損なうことなく、見栄え・美観を良好に保ちつつウエストサイズを伸縮自在とすることができるとともに、着用者等が伸縮機構を壊してしまうという事態を確実に防止でき、婦人用ボトムズとしても好ましい伸縮機構露出防止ウエスト周り伸縮自在ボトムズとなる。
【００５８】
請求項１１の発明に係る伸縮機構露出防止ウエスト周り伸縮自在ボトムズにおいては、ウエスト周り伸縮自在ボトムズの両脇にＬポケットが設けられるとともにＬポケットの前中心側の裏側にタックが設けられ、タックの近傍にベルト部の重ね合せ部が設けられている。
【００５９】
これによって、請求項１乃至請求項３のいずれか１つに記載の効果に加えて、生地の余裕があるタックの近傍にベルト部の重ね合せ部が設けられているため、ウエスト周り伸縮自在ボトムズのウエスト周りが伸縮する際に、タックが開閉することによって身頃にシワがよることがなく、しかもタックがＬポケットの内部に設けられているため外側から見えることがなく、より見栄えの良いウエスト周り伸縮自在ボトムズとなる。
【００６０】
また、上述の如く、骨盤が大きい女性が着用した場合でも、このようなＬポケットを設けることによってポケット口が変形して見栄えを損なう恐れがないため、婦人用ボトムズとしても好ましい。
【００６１】
このようにして、量産性を損なうことなく、見栄え・美観をより良好に保ちつつ、ウエストサイズを伸縮自在とすることができるとともに、着用者等が伸縮機構を壊してしまうという事態を確実に防止でき、婦人用ボトムズとしても好ましい伸縮機構露出防止ウエスト周り伸縮自在ボトムズとなる。
【００６２】
請求項１２の発明に係る伸縮機構露出防止ウエスト周り伸縮自在ボトムズにおいては、ウエスト周り伸縮自在ボトムズの両脇にＬポケットが設けられるとともにＬポケットの脇線部分の表側にタックが設けられ、タックの近傍にベルト部の重ね合せ部が設けられている。
【００６３】
これによって、請求項１乃至請求項３のいずれか１つに記載の効果に加えて、生地の余裕があるタックの近傍にベルト部の重ね合せ部が設けられているため、ウエスト周り伸縮自在ボトムズのウエスト周りが伸縮する際に、タックが開閉することによって身頃にシワがよることがなく、より見栄えの良いウエスト周り伸縮自在ボトムズとなる。
【００６４】
また、上述の如く、骨盤が大きい女性が着用した場合でも、このようなＬポケットを設けることによってポケット口が変形して見栄えを損なう恐れがないため、婦人用ボトムズとしても好ましい。
【００６５】
このようにして、量産性を損なうことなく、見栄え・美観をより良好に保ちつつ、ウエストサイズを伸縮自在とすることができるとともに、着用者等が伸縮機構を壊してしまうという事態を確実に防止でき、婦人用ボトムズとしても好ましい伸縮機構露出防止ウエスト周り伸縮自在ボトムズとなる。
【００６６】
請求項１３の発明に係る伸縮機構露出防止ウエスト周り伸縮自在ボトムズにおいては、ウエスト周り伸縮自在ボトムズの両脇にＬポケットが設けられるとともにＬポケットの脇線部分の裏側にタックが設けられ、タックの近傍にベルト部の重ね合せ部が設けられている。
【００６７】
これによって、請求項１乃至請求項３のいずれか１つに記載の効果に加えて、生地の余裕があるタックの近傍にベルト部の重ね合せ部が設けられているため、ウエスト周り伸縮自在ボトムズのウエスト周りが伸縮する際に、タックが開閉することによって身頃にシワがよることがなく、しかもタックがベルト部の裏側に設けられているため、外側から見えることがなく、より見栄えの良いウエスト周り伸縮自在ボトムズとなる。
【００６８】
また、上述の如く、骨盤が大きい女性が着用した場合でも、このようなＬポケットを設けることによってポケット口が変形して見栄えを損なう恐れがないため、婦人用ボトムズとしても好ましい。
【００６９】
このようにして、量産性を損なうことなく、見栄え・美観をより良好に保ちつつ、ウエストサイズを伸縮自在とすることができるとともに、着用者等が伸縮機構を壊してしまうという事態を確実に防止でき、婦人用ボトムズとしても好ましい伸縮機構露出防止ウエスト周り伸縮自在ボトムズとなる。
【００７０】
請求項１４の発明に係る伸縮機構露出防止ウエスト周り伸縮自在ボトムズにおいては、収容部の開口端の近傍の内面に伸縮性を有しない生地からなる裏地または伸縮性を有しない生地からなる接着布を縫付け、または貼り付けている。
【００７１】
これによって、請求項１乃至請求項１３のいずれか１つに記載の効果に加えて、収容部の開口端の近傍の内面に伸縮性を有しない生地からなる裏地または接着布が取付けられているため、収容部に挿入された延出部が裏地または接着布のみと摺接することから、その接触抵抗が少なくなり、延出部と収容部との滑らかな動きが可能となるとともに、収容部の表側及び裏側から見た収容部の内側には裏地または接着布が取付けられているので、ウエスト部の芯材が見えたりして商品イメージを低下させるということがない。
【００７２】
このようにして、量産性を損なうことなく、見栄え・美観をより良好に保ちつつ、ウエストサイズを伸縮自在とすることができるとともに、着用者等が伸縮機構を壊してしまうという事態を確実に防止できる伸縮機構露出防止ウエスト周り伸縮自在ボトムズとなる。
【発明を実施するための最良の形態】
【００７３】
以下、本発明の実施の形態に係る伸縮機構露出防止ウエスト周り伸縮自在ボトムズについて、図面を参照しつつ説明する。なお、実施の形態２以降において、実施の形態１の部分と同一の記号及び同一の符号は、実施の形態１と同一または相当する機能部分を意味し、実施の形態相互の同一の記号及び同一の符号は、それら実施の形態に共通する機能部分であるから、ここでは重複する詳細な説明を省略する。
【００７４】
実施の形態１
まず、本発明の実施の形態１に係る伸縮機構露出防止ウエスト周り伸縮自在ボトムズについて、図１乃至図５を参照して説明する。
【００７５】
図１（ａ）は本発明の実施の形態１に係る伸縮機構露出防止ウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。図２（ａ），（ｂ），（ｃ）は本発明の実施の形態１に係る伸縮機構露出防止ウエスト周り伸縮自在ボトムズの要部裏面の縫製途中の構成を示す部品展開図である。図３（ａ），（ｂ）は本発明の実施の形態１に係る伸縮機構露出防止ウエスト周り伸縮自在ボトムズの縫製が完成した状態の裏側を示す部分拡大図である。
【００７６】
図４（ａ），（ｂ）は本発明の実施の形態１の第１変形例に係る伸縮機構露出防止ウエスト周り伸縮自在ボトムズの要部裏面の縫製途中の構成を示す部品展開図、（ｃ）は本発明の実施の形態１の第１変形例に係る伸縮機構露出防止ウエスト周り伸縮自在ボトムズの縫製が完成した状態の裏側を示す部分拡大図である。図５（ａ）は本発明の実施の形態１の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【００７７】
図１（ａ）に示されるように、本実施の形態１に係る伸縮機構露出防止ウエスト周り伸縮自在ボトムズとしてのスーツ用ズボン１は、前身頃４の脇線ＬＳ，ＲＳの近傍に左右１対の脇ポケット２を有しており、これらの脇ポケット２のポケット口外縁２Ａの前中心ＦＣよりの部分（外縁２Ａの上部）の近傍に、ベルト部３の見掛け上の長さを伸縮自在としたウエスト周り伸縮自在構造を有している。
【００７８】
すなわち、後で詳細に説明するように、ベルト部３には左右１対の脇ポケット２のポケット口外縁２Ａの近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されることによって、ベルト部３の見掛け上の長さを伸縮自在としている。
【００７９】
これによって、ベルト部３に引っ張り力が掛かっていない場合には、図１（ｂ）に示されるように、脇ポケット２の外縁２Ａの上部がベルト部３に設けられたベルト通し１２と一致しており、ベルト部３に引っ張り力が掛かってウエスト周りが伸びると、図１（ｃ）に示されるように脇ポケット２の外縁２Ａの上部も延出部３Ｂと一体に移動する。また、脇ポケット２の袋布が表側から見えないようにするために、前身頃４と共地の綿生地からなる当て布９が左右１対のＬポケット２の外側に縫付けられている。
【００８０】
なお、図１（ｂ），（ｃ）に示されるように、収容部３Ａ及び延出部３Ｂの上下端にはベルト布ステッチ３ａ，３ｂが施されている。ジーンズ（Ｇパン）、綿パンを始めとするカジュアルなボトムズにおいては、このようなベルト布ステッチ３ａ，３ｂを施すのが一般的であるが、本実施の形態１に係るスーツ用ズボン１等のフォーマルなボトムズでは、ベルト布ステッチを施さない場合もある。以下の各図においては、図を見易くするため、ベルト布ステッチの図示を省略する。
【００８１】
次に、ウエスト周り伸縮自在構造について、図２を参照して説明する。図２は左側の脇ポケット２の近傍をスーツ用ズボン１の裏側から見て示したものである。図２（ａ）に示されるように、収容部３Ａを構成するベルト布３Ａａはスーツ用ズボン１の前身頃４と共地の綿生地であり、延出部３Ｂを構成するベルト布３Ｂａもスーツ用ズボン１の前身頃４と共地の綿生地である。図２（ａ）に示されるように、収容部３Ａ及び延出部３Ｂ内には、芯材としてのソフト芯ＳＣ及びハード芯ＨＣが、アイロンプレスによって貼り付けられている。
【００８２】
ここで、図２（ａ），（ｂ）に示されるように、収容部３Ａの端３Ａｂは表裏ともベルト部３の長手方向に対して略垂直であり、収容部３Ａの裏側の端から脇ポケット２の袋布５に設けられたタック１５までの間に亘って、延出部３Ｂの内部に長方形の伸縮性を有しない生地６の上端が縫付けられて、伸縮性を有しない生地６の下端がベルト部３の下端に縫付けられる。また、収容部３Ａを構成するベルト布３Ａａの開口部近傍の内側には、延出部３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【００８３】
これら延出部３Ｂの先端と収容部３Ａの内側とが、収容部３Ａの内部において主弾性材としての幅の広いゴムテープ１０によって接続されている。更に、ゴムテープ１０には伸縮性のない生地からなる帯状の伸び止め材１１が縫付けられており、ゴムテープ１０に引っ張り力が掛かっても、この伸び止め材１１が折り畳まれている長さまでしか伸びることができない。
【００８４】
すなわち、伸び止め材１１によって、ゴムテープ１０の最大伸び長さが規定されている。これによって、ゴムテープ１０が過度に伸びるのを防止して、ゴムテープ１０が長持ちするようにしている。このゴムテープ１０に対する伸び止め材１１の作用は、以下の各実施の形態においても全く同様であり、伸び止め材１１が折り畳まれている長さによって、各実施の形態におけるウエスト周りの伸縮長さを決定している。
【００８５】
なお、本実施の形態１に係る伸縮機構露出防止ウエスト周り伸縮自在ボトムズとしてのスーツ用ズボン１においては、伸び止め材１１の折り畳み部分の長さを約２ｃｍとして、ウエスト周りの伸縮長さを約２ｃｍとしている。
【００８６】
また、図２（ｃ）に示されるように、脇ポケット２の袋布５の上端と延出部３Ｂの下端とを補助弾性材としての幅の細いゴムテープ３０で接続しており、これによってウエスト周り伸縮自在構造によって延出部３Ｂが移動する際に脇ポケット２の袋布５の形状が崩れたりして見栄えが悪くなるのを防ぐ働きをしている。更に、図２（ｃ）に破線で示されるように、脇ポケット２の袋布５の表側には、想像線で示される脇ポケット２の外縁２Ａの外側に袋布５の生地が見えるのを防ぐために、スーツ用ズボン１の前身頃４と共地の綿生地からなる当て布９が当て布ステッチによって縫付けられている。
【００８７】
このような構造を有する収容部３Ａを輪にして下端で閉じるとともに、図２（ｂ）に示されるように、収容部３Ａの下端に脇ポケット２の袋布５の側を縫付け、延出部３Ｂを閉じるとともに延出部３Ｂの下端に脇ポケット２の外縁２Ａを形成するスーツ用ズボン１の前身頃４の側を縫付ける。
【００８８】
図３（ａ）に示されるように、このようにして縫製が完成した本実施の形態１に係る伸縮機構露出防止ウエスト周り伸縮自在ボトムズとしてのスーツ用ズボン１は、収容部３Ａの表裏の端３Ａｂがベルト部３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。
【００８９】
また、延出部３Ｂの内部に長方形の伸縮性を有しない生地６の上端が縫付けられて、伸縮性を有しない生地６の下端がベルト部３の下端に縫付けられているために、図３（ｂ）に示されるように、着用者等がゴムテープ１０の弾性力に抗して収容部３Ａから延出部３Ｂを引き出した場合に、興味本位で延出部３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態を確実に防止することができる。
【００９０】
次に、本実施の形態１の第１変形例に係る伸縮機構露出防止ウエスト周り伸縮自在ボトムズとしてのスーツ用ズボン１Ａについて、図４を参照して説明する。本実施の形態１の第１変形例に係るスーツ用ズボン１Ａの基本的な構造は、上述した本実施の形態１に係るスーツ用ズボン１とほぼ同様であるので、同一の部分には同一の符号を付して説明を省略する。
【００９１】
図４（ａ），（ｂ）に示されるように、第１変形例に係るスーツ用ズボン１Ａが上述したスーツ用ズボン１と異なるのは、延出部３Ｂの内部に伸縮性を有しない生地６を縫付ける代わりに、延出部の折り返し部分の内部に両面接着芯１４を挟んでアイロンでプレスして延出部３Ｂの折り返し部分を接着した点である。
【００９２】
このようにして縫製されるスーツ用ズボン１Ａは、収容部３Ａの表裏の端３Ａｂがベルト部３の長手方向に対して略垂直であるため、ウエスト周り伸縮自在の性能を確保しながら見栄え・美観が良好に保たれ、全ての縫製作業をミシン縫いで行うことができるので、量産性を向上させることができる。
【００９３】
また、延出部３Ｂの内部に両面接着芯１４を挟んでアイロンでプレスして延出部３Ｂの折り返し部分を接着したために、図４（ｃ）に示されるように、着用者等がゴムテープ１０の弾性力に抗して収容部３Ａから延出部３Ｂを引き出した場合に、興味本位で延出部３Ｂの下端をめくっても袋布５の上端が見えるだけで、ゴムテープ１０，伸び止め材１１等の内部構造は見えないため、着用者等が内部構造を引き出して伸縮自在構造を壊してしまうという事態を確実に防止することができる。
【００９４】
次に、本実施の形態１の第２変形例に係る伸縮機構露出防止ウエスト周り伸縮自在ボトムズとしてのスーツ用ズボン１Ｂについて、図５を参照して説明する。本実施の形態１の第２変形例に係るスーツ用ズボン１Ｂの基本的な構造は、上述した本実施の形態１に係るスーツ用ズボン１とほぼ同様であるので、同一の部分には同一の符号を付して説明を省略する。
【００９５】
図５（ａ），（ｂ）に示されるように、第２変形例に係るスーツ用ズボン１Ｂが上述したスーツ用ズボン１と異なるのは、延出部３Ｂの内部に伸縮性を有しない生地６を縫付ける代わりに、延出部３Ｂの折り返し部分を表側から裏側にかけて貫通するように、延出部３Ｂの中間部分をベルト部３の長手方向に沿って縫付けた（縫い付け部１６を設けた）点である。
【００９６】
このようにして縫製されるスーツ用ズボン１Ｂは、収容部３Ａの表裏の端３Ａｂがベルト部３の長手方向に対して略垂直であるため、ウエスト周り伸縮自在の性能を確保しながら見栄え・美観が良好に保たれ、全ての縫製作業をミシン縫いで行うことができ、しかも延出部３Ｂを縫付ける作業が簡単になるため、量産性をより向上させることができる。
【００９７】
なお、このような構成とすると、延出部３Ｂの中間部分をベルト部３の長手方向に沿って縫付けた縫い付け部１６が外側から見えることになるが、スーツ用ズボン１Ｂには複数のベルト通し１２が取付けられており、ベルト部３の上からベルトを着用するため、縫い付け部１６はベルトの下に隠れて見えなくなる。
【００９８】
そして、延出部３Ｂの表側から裏側にかけて貫通するように延出部３Ｂの中間部分をベルト部３の長手方向に沿って縫付けているために、図５（ｂ）に示されるように、着用者等がゴムテープ１０の弾性力に抗して収容部３Ａから延出部３Ｂを引き出した場合に、興味本位で延出部３Ｂの縫付けられていない部分の下端をめくろうとしても、内部構造は見ることができず、延出部３Ｂの裏側の一部が見えるだけで済むため、着用者等がゴムテープ１０等の内部構造を引き出して伸縮機構を壊してしまうという事態を確実に防止することができる。
【００９９】
このようにして、本実施の形態１に係る伸縮機構露出防止ウエスト周り伸縮自在ボトムズとしてのスーツ用ズボン１，１Ａ，１Ｂにおいては、量産性を損なうことなく、見栄え・美観を良好に保ちつつウエストサイズを伸縮自在とすることができるとともに、着用者等が伸縮機構を壊してしまうという事態を確実に防止できる。
【０１００】
また、スーツ用ズボン１，１Ａ，１Ｂのウエスト周りが伸縮する際に、脇ポケット２の袋布５に設けられたタック１５が開閉することによって身頃にシワがよることがなく、しかもタック１５が脇ポケット２の内部に設けられているため外側から見えることがなく、より見栄えの良いウエスト周り伸縮自在ボトムズとなる。したがって、本実施の形態１に係る伸縮機構露出防止ウエスト周り伸縮自在ボトムズとしてのスーツ用ズボン１，１Ａ，１Ｂは、請求項１乃至請求項３及び請求項９の発明に係る伸縮機構露出防止ウエスト周り伸縮自在ボトムズに該当する。
【０１０１】
なお、スーツ用ズボン１，１Ａ，１Ｂの脇ポケット２の袋布５にタック１５が設けられていなくとも、脇ポケット２が開閉することによって生地の余裕が生ずるため、ウエスト周りが伸縮する際に身頃にシワがよることがなく、見栄えの良いウエスト周り伸縮自在ボトムズとなるとともに、量産性を損なうことなく、着用者等が伸縮機構を壊してしまうという事態を確実に防止できる。この場合のスーツ用ズボンは、請求項１乃至請求項３及び請求項４の発明に係る伸縮機構露出防止ウエスト周り伸縮自在ボトムズに該当する。
【０１０２】
実施の形態２
次に、本発明の実施の形態２に係る伸縮機構露出防止ウエスト周り伸縮自在ボトムズについて、図６乃至図１０を参照して説明する。
【０１０３】
図６（ａ）は本発明の実施の形態２に係る伸縮機構露出防止ウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。図７（ａ），（ｂ），（ｃ）は本発明の実施の形態２に係る伸縮機構露出防止ウエスト周り伸縮自在ボトムズの要部裏面の縫製途中の構成を示す部品展開図である。図８（ａ），（ｂ）は本発明の実施の形態２に係る伸縮機構露出防止ウエスト周り伸縮自在ボトムズの縫製が完成した状態の裏側を示す部分拡大図である。
【０１０４】
図９（ａ），（ｂ）は本発明の実施の形態２の第１変形例に係る伸縮機構露出防止ウエスト周り伸縮自在ボトムズの要部裏面の縫製途中の構成を示す部品展開図、（ｃ）は本発明の実施の形態２の第１変形例に係る伸縮機構露出防止ウエスト周り伸縮自在ボトムズの縫製が完成した状態の裏側を示す部分拡大図である。図１０（ａ）は本発明の実施の形態２の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【０１０５】
図６（ａ）に示されるように、本実施の形態２に係る伸縮機構露出防止ウエスト周り伸縮自在ボトムズとしてのスーツ用ズボン１Ｃは、前身頃４の脇線ＬＳ，ＲＳの近傍に左右１対の脇ポケット２を有しており、これらの脇ポケット２のポケット口外縁２Ａの前中心ＦＣよりの部分（外縁２Ａの上部）の近傍に、ベルト部３の見掛け上の長さを伸縮自在としたウエスト周り伸縮自在構造を有している。
【０１０６】
すなわち、ベルト部３には左右１対の脇ポケット２のポケット口外縁２Ａの近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されるとともに、１対の脇ポケット２と前中心ＦＣの間に１対のタック１７を設けることによって、ベルト部３の見掛け上の長さを伸縮自在としている。
【０１０７】
これによって、ベルト部３に引っ張り力が掛かっていない場合には、図６（ｂ）に示されるように、タック１７は折り畳まれた状態にあり、ベルト部３に引っ張り力が掛かってウエスト周りが伸びると、図６（ｃ）に示されるように、延出部３Ｂの近傍の前身頃４も延出部３Ｂと一体に移動して、タック１７が拡げられる。また、脇ポケット２の袋布が表側から見えないようにするために、前身頃４と共地の綿生地からなる当て布９が左右１対のＬポケット２の外側に縫付けられている。
【０１０８】
なお、図６（ｂ），（ｃ）に示されるように、収容部３Ａ及び延出部３Ｂの上下端にはベルト布ステッチ３ａ，３ｂが施されている。ジーンズ（Ｇパン）、綿パンを始めとするカジュアルなボトムズにおいては、このようなベルト布ステッチ３ａ，３ｂを施すのが一般的であるが、本実施の形態２に係るスーツ用ズボン１Ｃ等のフォーマルなボトムズでは、ベルト布ステッチを施さない場合もある。以下の各図においては、図を見易くするため、ベルト布ステッチの図示を省略する。
【０１０９】
次に、ウエスト周り伸縮自在構造について、図７を参照して説明する。図７は左側の脇ポケット２の近傍をスーツ用ズボン１Ｃの裏側から見て示したものである。図７（ａ）に示されるように、収容部３Ａを構成するベルト布３Ａａはスーツ用ズボン１Ｃの前身頃４と共地の綿生地であり、延出部３Ｂを構成するベルト布３Ｂａもスーツ用ズボン１Ｃの前身頃４と共地の綿生地である。図７（ａ）に示されるように、収容部３Ａ及び延出部３Ｂ内には、芯材としてのソフト芯ＳＣ及びハード芯ＨＣが、アイロンプレスによって貼り付けられている。
【０１１０】
ここで、図７（ａ），（ｂ）に示されるように、収容部３Ａの端３Ａｂは表裏ともベルト部３の長手方向に対して略垂直であり、収容部３Ａの裏側の端から脇ポケット２の袋布５の端までの間に亘って、延出部３Ｂの内部に長方形の伸縮性を有しない生地６の上端が縫付けられて、伸縮性を有しない生地６の下端がベルト部３の下端に縫付けられる。また、収容部３Ａを構成するベルト布３Ａａの開口部近傍の内側には、延出部３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【０１１１】
これら延出部３Ｂの先端と収容部３Ａの内側とが、収容部３Ａの内部において主弾性材としての幅の広いゴムテープ１０によって接続されている。なお、本実施の形態２に係る伸縮機構露出防止ウエスト周り伸縮自在ボトムズとしてのスーツ用ズボン１Ｃにおいては、伸び止め材１１の折り畳み部分の長さを約２．５ｃｍとして、ウエスト周りの伸縮長さを約２．５ｃｍとしている。
【０１１２】
また、図７（ｃ）に示されるように、脇ポケット２の袋布５の上端と延出部３Ｂの下端とを補助弾性材としての幅の細いゴムテープ３０で接続しており、これによってウエスト周り伸縮自在構造によって延出部３Ｂが移動する際に脇ポケット２の袋布５の形状が崩れたりして見栄えが悪くなるのを防ぐ働きをしている。更に、図７（ｃ）に破線で示されるように、脇ポケット２の袋布５の表側には、想像線で示される脇ポケット２の外縁２Ａの外側に袋布５の生地が見えるのを防ぐために、スーツ用ズボン１Ｃの前身頃４と共地の綿生地からなる当て布９が当て布ステッチによって縫付けられている。
【０１１３】
このような構造を有する収容部３Ａを輪にして下端で閉じるとともに、図７（ｂ）に示されるように、収容部３Ａの下端に脇ポケット２の袋布５の側を縫付け、延出部３Ｂを閉じるとともに延出部３Ｂの下端に脇ポケット２の外縁２Ａを形成するスーツ用ズボン１Ｃの前身頃４の側を縫付ける。
【０１１４】
図８（ａ）に示されるように、このようにして縫製が完成した本実施の形態２に係る伸縮機構露出防止ウエスト周り伸縮自在ボトムズとしてのスーツ用ズボン１Ｃは、収容部３Ａの表裏の端３Ａｂがベルト部３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。
【０１１５】
また、延出部３Ｂの内部に長方形の伸縮性を有しない生地６の上端が縫付けられて、伸縮性を有しない生地６の下端がベルト部３の下端に縫付けられているために、図８（ｂ）に示されるように、着用者等がゴムテープ１０の弾性力に抗して収容部３Ａから延出部３Ｂを引き出した場合に、興味本位で延出部３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態を確実に防止することができる。
【０１１６】
次に、本実施の形態２の第１変形例に係る伸縮機構露出防止ウエスト周り伸縮自在ボトムズとしてのスーツ用ズボン１Ｄについて、図９を参照して説明する。本実施の形態２の第１変形例に係るスーツ用ズボン１Ｄの基本的な構造は、上述した本実施の形態２に係るスーツ用ズボン１Ｃとほぼ同様であるので、同一の部分には同一の符号を付して説明を省略する。
【０１１７】
図９（ａ），（ｂ）に示されるように、第１変形例に係るスーツ用ズボン１Ｄが上述したスーツ用ズボン１Ｃと異なるのは、延出部３Ｂの内部に伸縮性を有しない生地６を縫付ける代わりに、延出部の折り返し部分の内部に両面接着芯１４を挟んでアイロンでプレスして延出部３Ｂの折り返し部分を接着した点である。
【０１１８】
このようにして縫製されるスーツ用ズボン１Ｄは、収容部３Ａの表裏の端３Ａｂがベルト部３の長手方向に対して略垂直であるため、ウエスト周り伸縮自在の性能を確保しながら見栄え・美観が良好に保たれ、全ての縫製作業をミシン縫いで行うことができるので、量産性を向上させることができる。
【０１１９】
また、延出部３Ｂの内部に両面接着芯１４を挟んでアイロンでプレスして延出部３Ｂの折り返し部分を接着したために、図９（ｃ）に示されるように、着用者等がゴムテープ１０の弾性力に抗して収容部３Ａから延出部３Ｂを引き出した場合に、興味本位で延出部３Ｂの下端をめくっても袋布５の上端が見えるだけで、ゴムテープ１０，伸び止め材１１等の内部構造は見えないため、着用者等が内部構造を引き出して伸縮自在構造を壊してしまうという事態を確実に防止することができる。
【０１２０】
次に、本実施の形態２の第２変形例に係る伸縮機構露出防止ウエスト周り伸縮自在ボトムズとしてのスーツ用ズボン１Ｅについて、図１０を参照して説明する。本実施の形態２の第２変形例に係るスーツ用ズボン１Ｅの基本的な構造は、上述した本実施の形態２に係るスーツ用ズボン１Ｃとほぼ同様であるので、同一の部分には同一の符号を付して説明を省略する。
【０１２１】
図１０（ａ），（ｂ）に示されるように、第２変形例に係るスーツ用ズボン１Ｅが上述したスーツ用ズボン１Ｃと異なるのは、延出部３Ｂの内部に伸縮性を有しない生地６を縫付ける代わりに、延出部３Ｂの折り返し部分を表側から裏側にかけて貫通するように、延出部３Ｂの中間部分をベルト部３の長手方向に沿って縫付けた（縫い付け部１６を設けた）点である。
【０１２２】
このようにして縫製されるスーツ用ズボン１Ｅは、収容部３Ａの表裏の端３Ａｂがベルト部３の長手方向に対して略垂直であるため、ウエスト周り伸縮自在の性能を確保しながら見栄え・美観が良好に保たれ、全ての縫製作業をミシン縫いで行うことができ、しかも延出部３Ｂを縫付ける作業が簡単になるため、量産性をより向上させることができる。
【０１２３】
なお、このような構成とすると、延出部３Ｂの中間部分をベルト部３の長手方向に沿って縫付けた縫い付け部１６が外側から見えることになるが、スーツ用ズボン１Ｅには複数のベルト通し１２が取付けられており、ベルト部３の上からベルトを着用するため、縫い付け部１６はベルトの下に隠れて見えなくなる。
【０１２４】
そして、延出部３Ｂの表側から裏側にかけて貫通するように延出部３Ｂの中間部分をベルト部３の長手方向に沿って縫付けているために、図１０（ｂ）に示されるように、着用者等がゴムテープ１０の弾性力に抗して収容部３Ａから延出部３Ｂを引き出した場合に、興味本位で延出部３Ｂの縫付けられていない部分の下端をめくろうとしても、内部構造は見ることができず、延出部３Ｂの裏側の一部が見えるだけで済むため、着用者等がゴムテープ１０等の内部構造を引き出して伸縮機構を壊してしまうという事態を確実に防止することができる。
【０１２５】
このようにして、本実施の形態２に係る伸縮機構露出防止ウエスト周り伸縮自在ボトムズとしてのスーツ用ズボン１Ｃ，１Ｄ，１Ｅにおいては、量産性を損なうことなく、見栄え・美観を良好に保ちつつウエストサイズを伸縮自在とすることができるとともに、着用者等が伸縮機構を壊してしまうという事態を確実に防止できる。
【０１２６】
また、スーツ用ズボン１Ｃ，１Ｄ，１Ｅのウエスト周りが伸縮する際に、脇ポケット２と前中心ＦＣとの間に設けられたタック１７が開閉することによって前身頃４にシワがよることがなく、より見栄えの良いウエスト周り伸縮自在ボトムズとなる。したがって、本実施の形態２に係る伸縮機構露出防止ウエスト周り伸縮自在ボトムズとしてのスーツ用ズボン１Ｃ，１Ｄ，１Ｅは、請求項１乃至請求項３及び請求項８の発明に係る伸縮機構露出防止ウエスト周り伸縮自在ボトムズに該当する。
【０１２７】
実施の形態３
次に、本発明の実施の形態３に係る伸縮機構露出防止ウエスト周り伸縮自在ボトムズについて、図１１乃至図１５を参照して説明する。
【０１２８】
図１１（ａ）は本発明の実施の形態３に係る伸縮機構露出防止ウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。図１２（ａ），（ｂ），（ｃ）は本発明の実施の形態３に係る伸縮機構露出防止ウエスト周り伸縮自在ボトムズの要部裏面の縫製途中の構成を示す部品展開図である。図１３（ａ），（ｂ）は本発明の実施の形態３に係る伸縮機構露出防止ウエスト周り伸縮自在ボトムズの縫製が完成した状態の裏側を示す部分拡大図である。
【０１２９】
図１４（ａ），（ｂ）は本発明の実施の形態３の第１変形例に係る伸縮機構露出防止ウエスト周り伸縮自在ボトムズの要部裏面の縫製途中の構成を示す部品展開図、（ｃ）は本発明の実施の形態３の第１変形例に係る伸縮機構露出防止ウエスト周り伸縮自在ボトムズの縫製が完成した状態の裏側を示す部分拡大図である。図１５（ａ）は本発明の実施の形態３の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【０１３０】
図１１（ａ）に示されるように、本実施の形態３に係る伸縮機構露出防止ウエスト周り伸縮自在ボトムズとしてのスーツ用ズボン１Ｆにおいては、前身頃４の脇線ＬＳ，ＲＳの近傍に左右１対の脇ポケットがなく、脇線ＬＳ，ＲＳの上部にそれぞれタック１８が設けられている。これらのタック１８の近傍に、ベルト部３の見掛け上の長さを伸縮自在としたウエスト周り伸縮自在構造を有している。
【０１３１】
すなわち、ベルト部３には左右１対のタック１８の近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されるとともに、脇線ＬＳ，ＲＳの上部に１対のタック１８を設けることによって、ベルト部３の見掛け上の長さを伸縮自在としている。
【０１３２】
これによって、ベルト部３に引っ張り力が掛かっていない場合には、図１１（ｂ）に示されるように、タック１８は折り畳まれた状態にあって脇線ＬＳ，ＲＳと一体となっており、ベルト部３に引っ張り力が掛かってウエスト周りが伸びると、図１１（ｃ）に示されるように、延出部３Ｂの近傍の前身頃４も延出部３Ｂと一体に移動して、タック１８が拡げられる。
【０１３３】
なお、図１１（ｂ），（ｃ）に示されるように、収容部３Ａ及び延出部３Ｂの上下端にはベルト布ステッチ３ａ，３ｂが施されている。ジーンズ（Ｇパン）、綿パンを始めとするカジュアルなボトムズにおいては、このようなベルト布ステッチ３ａ，３ｂを施すのが一般的であるが、本実施の形態３に係るスーツ用ズボン１Ｆ等のフォーマルなボトムズでは、ベルト布ステッチを施さない場合もある。以下の各図においては、図を見易くするため、ベルト布ステッチの図示を省略する。
【０１３４】
次に、ウエスト周り伸縮自在構造について、図１２を参照して説明する。図１２は左側のタック１８の近傍をスーツ用ズボン１Ｆの裏側から見て示したものである。図１２（ａ）に示されるように、収容部３Ａを構成するベルト布３Ａａはスーツ用ズボン１Ｆの前身頃４と共地の綿生地であり、延出部３Ｂを構成するベルト布３Ｂａもスーツ用ズボン１Ｆの前身頃４と共地の綿生地である。図１２（ａ）に示されるように、収容部３Ａ及び延出部３Ｂ内には、芯材としてのソフト芯ＳＣ及びハード芯ＨＣが、アイロンプレスによって貼り付けられている。
【０１３５】
ここで、図１２（ａ），（ｂ）に示されるように、収容部３Ａの端３Ａｂは表裏ともベルト部３の長手方向に対して略垂直であり、収容部３Ａの裏側の端からタック１８の外側までの間に亘って、延出部３Ｂの内部に長方形の伸縮性を有しない生地６の上端が縫付けられて、伸縮性を有しない生地６の下端がベルト部３の下端に縫付けられる。また、収容部３Ａを構成するベルト布３Ａａの開口部近傍の内側には、延出部３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【０１３６】
これら延出部３Ｂの先端と収容部３Ａの内側とが、収容部３Ａの内部において主弾性材としての幅の広いゴムテープ１０によって接続されている。なお、本実施の形態３に係る伸縮機構露出防止ウエスト周り伸縮自在ボトムズとしてのスーツ用ズボン１Ｆにおいては、伸び止め材１１の折り畳み部分の長さを約２．２ｃｍとして、ウエスト周りの伸縮長さを約２．２ｃｍとしている。
【０１３７】
また、図１２（ｃ）に示されるように、タック１８の上端と延出部３Ｂの下端とを補助弾性材としての幅の細いゴムテープ３０で接続しており、これによってウエスト周り伸縮自在構造によって延出部３Ｂが移動する際にタック１８の形状が崩れたりして見栄えが悪くなるのを防ぐ働きをしている。
【０１３８】
図１３（ａ）に示されるように、このようにして縫製が完成した本実施の形態３に係る伸縮機構露出防止ウエスト周り伸縮自在ボトムズとしてのスーツ用ズボン１Ｆは、収容部３Ａの表裏の端３Ａｂがベルト部３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。
【０１３９】
また、延出部３Ｂの内部に長方形の伸縮性を有しない生地６の上端が縫付けられて、伸縮性を有しない生地６の下端がベルト部３の下端に縫付けられているために、図１３（ｂ）に示されるように、着用者等がゴムテープ１０の弾性力に抗して収容部３Ａから延出部３Ｂを引き出した場合に、興味本位で延出部３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態を確実に防止することができる。
【０１４０】
次に、本実施の形態３の第１変形例に係る伸縮機構露出防止ウエスト周り伸縮自在ボトムズとしてのスーツ用ズボン１Ｇについて、図１４を参照して説明する。本実施の形態３の第１変形例に係るスーツ用ズボン１Ｇの基本的な構造は、上述した本実施の形態３に係るスーツ用ズボン１Ｆとほぼ同様であるので、同一の部分には同一の符号を付して説明を省略する。
【０１４１】
図１４（ａ），（ｂ）に示されるように、第１変形例に係るスーツ用ズボン１Ｇが上述したスーツ用ズボン１Ｆと異なるのは、延出部３Ｂの内部に伸縮性を有しない生地６を縫付ける代わりに、延出部の折り返し部分の内部に両面接着芯１４を挟んでアイロンでプレスして延出部３Ｂの折り返し部分を接着した点である。
【０１４２】
このようにして縫製されるスーツ用ズボン１Ｇは、収容部３Ａの表裏の端３Ａｂがベルト部３の長手方向に対して略垂直であるため、ウエスト周り伸縮自在の性能を確保しながら見栄え・美観が良好に保たれ、全ての縫製作業をミシン縫いで行うことができるので、量産性を向上させることができる。
【０１４３】
また、延出部３Ｂの内部に両面接着芯１４を挟んでアイロンでプレスして延出部３Ｂの折り返し部分を接着したために、図１４（ｃ）に示されるように、着用者等がゴムテープ１０の弾性力に抗して収容部３Ａから延出部３Ｂを引き出した場合に、興味本位で延出部３Ｂの下端をめくっても袋布５の上端が見えるだけで、ゴムテープ１０，伸び止め材１１等の内部構造は見えないため、着用者等が内部構造を引き出して伸縮自在構造を壊してしまうという事態を確実に防止することができる。
【０１４４】
次に、本実施の形態３の第２変形例に係る伸縮機構露出防止ウエスト周り伸縮自在ボトムズとしてのスーツ用ズボン１Ｈについて、図１５を参照して説明する。本実施の形態３の第２変形例に係るスーツ用ズボン１Ｈの基本的な構造は、上述した本実施の形態３に係るスーツ用ズボン１Ｆとほぼ同様であるので、同一の部分には同一の符号を付して説明を省略する。
【０１４５】
図１５（ａ），（ｂ）に示されるように、第２変形例に係るスーツ用ズボン１Ｈが上述したスーツ用ズボン１Ｆと異なるのは、延出部３Ｂの内部に伸縮性を有しない生地６を縫付ける代わりに、延出部３Ｂの折り返し部分を表側から裏側にかけて貫通するように、延出部３Ｂの中間部分をベルト部３の長手方向に沿って縫付けた（縫い付け部１６を設けた）点である。
【０１４６】
このようにして縫製されるスーツ用ズボン１Ｈは、収容部３Ａの表裏の端３Ａｂがベルト部３の長手方向に対して略垂直であるため、ウエスト周り伸縮自在の性能を確保しながら見栄え・美観が良好に保たれ、全ての縫製作業をミシン縫いで行うことができ、しかも延出部３Ｂを縫付ける作業が簡単になるため、量産性をより向上させることができる。
【０１４７】
なお、このような構成とすると、延出部３Ｂの中間部分をベルト部３の長手方向に沿って縫付けた縫い付け部１６が外側から見えることになるが、スーツ用ズボン１Ｈには複数のベルト通し１２が取付けられており、ベルト部３の上からベルトを着用するため、縫い付け部１６はベルトの下に隠れて見えなくなる。
【０１４８】
そして、延出部３Ｂの表側から裏側にかけて貫通するように延出部３Ｂの中間部分をベルト部３の長手方向に沿って縫付けているために、図１５（ｂ）に示されるように、着用者等がゴムテープ１０の弾性力に抗して収容部３Ａから延出部３Ｂを引き出した場合に、興味本位で延出部３Ｂの縫付けられていない部分の下端をめくろうとしても、内部構造は見ることができず、延出部３Ｂの裏側の一部が見えるだけで済むため、着用者等がゴムテープ１０等の内部構造を引き出して伸縮機構を壊してしまうという事態を確実に防止することができる。
【０１４９】
このようにして、本実施の形態３に係る伸縮機構露出防止ウエスト周り伸縮自在ボトムズとしてのスーツ用ズボン１Ｆ，１Ｇ，１Ｈにおいては、量産性を損なうことなく、見栄え・美観を良好に保ちつつウエストサイズを伸縮自在とすることができるとともに、着用者等が伸縮機構を壊してしまうという事態を確実に防止できる。
【０１５０】
また、スーツ用ズボン１Ｆ，１Ｇ，１Ｈのウエスト周りが伸縮する際に、両脇ＬＳ，ＲＳの上部に設けられたタック１８が開閉することによって前身頃４にシワがよることがなく、より見栄えの良いウエスト周り伸縮自在ボトムズとなる。したがって、本実施の形態３に係る伸縮機構露出防止ウエスト周り伸縮自在ボトムズとしてのスーツ用ズボン１Ｆ，１Ｇ，１Ｈは、請求項１乃至請求項３及び請求項５の発明に係る伸縮機構露出防止ウエスト周り伸縮自在ボトムズに該当する。
【０１５１】
実施の形態４
次に、本発明の実施の形態４に係る伸縮機構露出防止ウエスト周り伸縮自在ボトムズについて、図１６乃至図２１を参照して説明する。
【０１５２】
図１６（ａ）は本発明の実施の形態４に係る伸縮機構露出防止ウエスト周り伸縮自在ボトムズとしての婦人用パンツの全体構成を示す正面図、（ｂ）はベルト部の重ね合せ部近傍を拡大して示す部分拡大図、（ｃ）はウエスト周りが伸長した状態を示す部分拡大図である。図１７（ａ），（ｂ），（ｃ）は本発明の実施の形態４に係る伸縮機構露出防止ウエスト周り伸縮自在ボトムズの要部裏面の縫製途中の構成を示す部品展開図である。図１８（ａ），（ｂ）は本発明の実施の形態４に係る伸縮機構露出防止ウエスト周り伸縮自在ボトムズの縫製が完成した状態の裏側を示す部分拡大図である。
【０１５３】
図１９（ａ），（ｂ）は本発明の実施の形態４の第１変形例に係る伸縮機構露出防止ウエスト周り伸縮自在ボトムズの要部裏面の縫製途中の構成を示す部品展開図、（ｃ）は本発明の実施の形態４の第１変形例に係る伸縮機構露出防止ウエスト周り伸縮自在ボトムズの縫製が完成した状態の裏側を示す部分拡大図である。図２０（ａ）は本発明の実施の形態４の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【０１５４】
図２１（ａ）は本発明の実施の形態４の第３変形例に係る伸縮機構露出防止ウエスト周り伸縮自在ボトムズの左脇線の近傍を表側から見て示す部分拡大図、（ｂ）は本発明の実施の形態４の第４変形例に係る伸縮機構露出防止ウエスト周り伸縮自在ボトムズの左脇線の近傍を表側から見て示す部分拡大図、（ｃ）は本発明の実施の形態４の第５変形例に係る伸縮機構露出防止ウエスト周り伸縮自在ボトムズの左脇線の近傍を表側から見て示す部分拡大図である。
【０１５５】
図１６（ａ）に示されるように、本実施の形態４に係る伸縮機構露出防止ウエスト周り伸縮自在ボトムズとしての婦人用パンツ１Ｊにおいては、前身頃４の脇線ＬＳ，ＲＳの上部にそれぞれタック１８が設けられ、このタック１８のすぐ下にポケット口２０を有する脇中間ポケット１９がそれぞれ設けられている。これらのタック１８の近傍に、ベルト部３の見掛け上の長さを伸縮自在としたウエスト周り伸縮自在構造を有している。
【０１５６】
すなわち、ベルト部３には左右１対のタック１８の近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されるとともに、脇線ＬＳ，ＲＳの上部に１対のタック１８を設けることによって、ベルト部３の見掛け上の長さを伸縮自在としている。
【０１５７】
これによって、ベルト部３に引っ張り力が掛かっていない場合には、図１６（ｂ）に示されるように、タック１８は折り畳まれた状態にあって脇線ＬＳ，ＲＳと一体となっており、ベルト部３に引っ張り力が掛かってウエスト周りが伸びると、図１６（ｃ）に示されるように、延出部３Ｂの近傍の前身頃４も延出部３Ｂと一体に移動して、タック１８が拡げられる。
【０１５８】
なお、図１６（ｂ），（ｃ）に示されるように、収容部３Ａ及び延出部３Ｂの上下端にはベルト布ステッチ３ａ，３ｂが施されている。ジーンズ（Ｇパン）、綿パンを始めとするカジュアルなボトムズにおいては、このようなベルト布ステッチ３ａ，３ｂを施すのが一般的であるが、本実施の形態４に係る婦人用パンツ１Ｊ等のボトムズでは、ベルト布ステッチを施さない場合もある。以下の各図においては、図を見易くするため、ベルト布ステッチの図示を省略する。
【０１５９】
また、本実施の形態４に係る婦人用パンツ１Ｊにおいて、上記各実施の形態のような脇ポケットではなく脇中間ポケット１９が設けられているのは、女性は骨盤が大きいので、通常の脇ポケットを設けると着用したときにポケット口が変形し易く余り好まれないが、このような脇中間ポケット１９ではそのような恐れがないため、後述するようなＬポケットと同様に婦人用パンツのポケットとして好ましいからである。
【０１６０】
次に、ウエスト周り伸縮自在構造について、図１７を参照して説明する。図１７は左側のタック１８の近傍を婦人用パンツ１Ｊの裏側から見て示したものである。図１７（ａ）に示されるように、収容部３Ａを構成するベルト布３Ａａは婦人用パンツ１Ｊの前身頃４と共地の綿生地であり、延出部３Ｂを構成するベルト布３Ｂａも婦人用パンツ１Ｊの前身頃４と共地の綿生地である。図１７（ａ）に示されるように、収容部３Ａ及び延出部３Ｂ内には、芯材としてのソフト芯ＳＣ及びハード芯ＨＣが、アイロンプレスによって貼り付けられている。
【０１６１】
ここで、図１７（ａ），（ｂ）に示されるように、収容部３Ａの端３Ａｂは表裏ともベルト部３の長手方向に対して略垂直であり、収容部３Ａの裏側の端からタック１８の外側までの間に亘って、延出部３Ｂの内部に長方形の伸縮性を有しない生地６の上端が縫付けられて、伸縮性を有しない生地６の下端がベルト部３の下端に縫付けられる。また、収容部３Ａを構成するベルト布３Ａａの開口部近傍の内側には、延出部３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【０１６２】
これら延出部３Ｂの先端と収容部３Ａの内側とが、収容部３Ａの内部において主弾性材としての幅の広いゴムテープ１０によって接続されている。なお、本実施の形態４に係る伸縮機構露出防止ウエスト周り伸縮自在ボトムズとしての婦人用パンツ１Ｊにおいては、伸び止め材１１の折り畳み部分の長さを約２．０ｃｍとして、ウエスト周りの伸縮長さを約２．０ｃｍとしている。
【０１６３】
また、図１７（ｃ）に示されるように、タック１８の上端と延出部３Ｂの下端とを補助弾性材としての幅の細いゴムテープ３０で接続しており、これによってウエスト周り伸縮自在構造によって延出部３Ｂが移動する際にタック１８の形状が崩れたりして見栄えが悪くなるのを防ぐ働きをしている。
【０１６４】
図１８（ａ）に示されるように、このようにして縫製が完成した本実施の形態３に係る伸縮機構露出防止ウエスト周り伸縮自在ボトムズとしての婦人用パンツ１Ｊは、収容部３Ａの表裏の端３Ａｂがベルト部３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。また、タック１８のすぐ下に脇線ＬＳ，ＲＳに沿ったポケット口２０を有する脇中間ポケット１９を設けたため、骨盤の大きい女性が着用してもポケット口２０が変形して見栄えが悪くなるのを防止することができる。
【０１６５】
また、延出部３Ｂの内部に長方形の伸縮性を有しない生地６の上端が縫付けられて、伸縮性を有しない生地６の下端がベルト部３の下端に縫付けられているために、図１８（ｂ）に示されるように、着用者等がゴムテープ１０の弾性力に抗して収容部３Ａから延出部３Ｂを引き出した場合に、興味本位で延出部３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態を確実に防止することができる。
【０１６６】
次に、本実施の形態４の第１変形例に係る伸縮機構露出防止ウエスト周り伸縮自在ボトムズとしての婦人用パンツ１Ｋについて、図１９を参照して説明する。本実施の形態４の第１変形例に係る婦人用パンツ１Ｋの基本的な構造は、上述した本実施の形態４に係る婦人用パンツ１Ｊとほぼ同様であるので、同一の部分には同一の符号を付して説明を省略する。
【０１６７】
図１９（ａ），（ｂ）に示されるように、第１変形例に係る婦人用パンツ１Ｋが上述した婦人用パンツ１Ｊと異なるのは、延出部３Ｂの内部に伸縮性を有しない生地６を縫付ける代わりに、延出部の折り返し部分の内部に両面接着芯１４を挟んでアイロンでプレスして延出部３Ｂの折り返し部分を接着した点である。
【０１６８】
このようにして縫製される婦人用パンツ１Ｋは、収容部３Ａの表裏の端３Ａｂがベルト部３の長手方向に対して略垂直であるため、ウエスト周り伸縮自在の性能を確保しながら見栄え・美観が良好に保たれ、全ての縫製作業をミシン縫いで行うことができるので、量産性を向上させることができる。また、タック１８のすぐ下に脇線ＬＳ，ＲＳに沿ったポケット口２０を有する脇中間ポケット１９を設けたため、骨盤の大きい女性が着用してもポケット口２０が変形して見栄えが悪くなるのを防止することができる。
【０１６９】
また、延出部３Ｂの内部に両面接着芯１４を挟んでアイロンでプレスして延出部３Ｂの折り返し部分を接着したために、図１９（ｃ）に示されるように、着用者等がゴムテープ１０の弾性力に抗して収容部３Ａから延出部３Ｂを引き出した場合に、興味本位で延出部３Ｂの下端をめくっても袋布５の上端が見えるだけで、ゴムテープ１０，伸び止め材１１等の内部構造は見えないため、着用者等が内部構造を引き出して伸縮自在構造を壊してしまうという事態を確実に防止することができる。
【０１７０】
次に、本実施の形態４の第２変形例に係る伸縮機構露出防止ウエスト周り伸縮自在ボトムズとしての婦人用パンツ１Ｌについて、図２０を参照して説明する。本実施の形態４の第２変形例に係る婦人用パンツ１Ｌの基本的な構造は、上述した本実施の形態４に係る婦人用パンツ１Ｊとほぼ同様であるので、同一の部分には同一の符号を付して説明を省略する。
【０１７１】
図２０（ａ），（ｂ）に示されるように、第２変形例に係る婦人用パンツ１Ｌが上述した婦人用パンツ１Ｊと異なるのは、延出部３Ｂの内部に伸縮性を有しない生地６を縫付ける代わりに、延出部３Ｂの折り返し部分を表側から裏側にかけて貫通するように、延出部３Ｂの中間部分をベルト部３の長手方向に沿って縫付けた（縫い付け部１６を設けた）点である。
【０１７２】
このようにして縫製される婦人用パンツ１Ｌは、収容部３Ａの表裏の端３Ａｂがベルト部３の長手方向に対して略垂直であるため、ウエスト周り伸縮自在の性能を確保しながら見栄え・美観が良好に保たれ、全ての縫製作業をミシン縫いで行うことができ、しかも延出部３Ｂを縫付ける作業が簡単になるため、量産性をより向上させることができる。また、タック１８のすぐ下に脇線ＬＳ，ＲＳに沿ったポケット口２０を有する脇中間ポケット１９を設けたため、骨盤の大きい女性が着用してもポケット口２０が変形して見栄えが悪くなるのを防止することができる。
【０１７３】
なお、このような構成とすると、延出部３Ｂの中間部分をベルト部３の長手方向に沿って縫付けた縫い付け部１６が外側から見えることになるが、婦人用パンツ１Ｌには複数のベルト通し１２が取付けられており、ベルト部３の上からベルトを着用するため、縫い付け部１６はベルトの下に隠れて見えなくなる。
【０１７４】
そして、延出部３Ｂの表側から裏側にかけて貫通するように延出部３Ｂの中間部分をベルト部３の長手方向に沿って縫付けているために、図２０（ｂ）に示されるように、着用者等がゴムテープ１０の弾性力に抗して収容部３Ａから延出部３Ｂを引き出した場合に、興味本位で延出部３Ｂの縫付けられていない部分の下端をめくろうとしても、内部構造は見ることができず、延出部３Ｂの裏側の一部が見えるだけで済むため、着用者等がゴムテープ１０等の内部構造を引き出して伸縮機構を壊してしまうという事態を確実に防止することができる。
【０１７５】
次に、本実施の形態４の第３変形例に係る伸縮機構露出防止ウエスト周り伸縮自在ボトムズとしての婦人用パンツ１Ｍについて、図２１（ａ）を参照して説明する。本実施の形態４の第３変形例に係る婦人用パンツ１Ｍの基本的な構造は、上述した本実施の形態４に係る婦人用パンツ１Ｊとほぼ同様であるので、同一の部分には同一の符号を付して説明を省略する。
【０１７６】
図２１（ａ）に示されるように、第３変形例に係る婦人用パンツ１Ｍが上述した婦人用パンツ１Ｊと異なるのは、タック１８のすぐ下にポケット口２０を有する脇中間ポケット１９を設ける代わりに、タック１８の近傍の前中心側に片玉縁のポケット口２０Ａを有する片玉縁ポケット１９Ａを設けた点である。
【０１７７】
このような構成を有する本実施の形態４の第３変形例に係る伸縮機構露出防止ウエスト周り伸縮自在ボトムズとしての婦人用パンツ１Ｍは、収容部３Ａの表裏の端３Ａｂがベルト部３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。また、タック１８の近傍に片玉縁のポケット口２０Ａを有する片玉縁ポケット１９Ａを設けたため、骨盤の大きい女性が着用してもポケット口２０Ａが変形して見栄えが悪くなるのを防止することができる。
【０１７８】
次に、本実施の形態４の第４変形例に係る伸縮機構露出防止ウエスト周り伸縮自在ボトムズとしての婦人用パンツ１Ｎについて、図２１（ｂ）を参照して説明する。本実施の形態４の第４変形例に係る婦人用パンツ１Ｎの基本的な構造は、上述した本実施の形態４に係る婦人用パンツ１Ｊとほぼ同様であるので、同一の部分には同一の符号を付して説明を省略する。
【０１７９】
図２１（ｂ）に示されるように、第４変形例に係る婦人用パンツ１Ｎが上述した婦人用パンツ１Ｊと異なるのは、タック１８のすぐ下にポケット口２０を有する脇中間ポケット１９を設ける代わりに、タック１８の近傍の前中心側に両玉縁のポケット口２０Ｂを有する両玉縁ポケット１９Ｂを設けた点である。
【０１８０】
このような構成を有する本実施の形態４の第４変形例に係る伸縮機構露出防止ウエスト周り伸縮自在ボトムズとしての婦人用パンツ１Ｎは、収容部３Ａの表裏の端３Ａｂがベルト部３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。また、タック１８の近傍に両玉縁のポケット口２０Ｂを有する両玉縁ポケット１９Ｂを設けたため、骨盤の大きい女性が着用してもポケット口２０Ａが変形して見栄えが悪くなるのを防止することができる。
【０１８１】
次に、本実施の形態４の第５変形例に係る伸縮機構露出防止ウエスト周り伸縮自在ボトムズとしての婦人用パンツ１Ｐについて、図２１（ｃ）を参照して説明する。本実施の形態４の第５変形例に係る婦人用パンツ１Ｐの基本的な構造は、上述した本実施の形態４に係る婦人用パンツ１Ｊとほぼ同様であるので、同一の部分には同一の符号を付して説明を省略する。
【０１８２】
図２１（ｃ）に示されるように、第５変形例に係る婦人用パンツ１Ｐが上述した婦人用パンツ１Ｊと異なるのは、タック１８のすぐ下にポケット口２０を有する脇中間ポケット１９を設ける代わりに、タック１８の近傍の前中心側にフラップ付きのポケット口２０Ｃを有するフラップ付きポケット１９Ｃを設けた点である。
【０１８３】
このような構成を有する本実施の形態４の第５変形例に係る伸縮機構露出防止ウエスト周り伸縮自在ボトムズとしての婦人用パンツ１Ｐは、収容部３Ａの表裏の端３Ａｂがベルト部３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。また、タック１８の近傍にフラップ付きのポケット口２０Ｃを有するフラップ付きポケット１９Ｃを設けたため、骨盤の大きい女性が着用してもポケット口２０Ａが変形して見栄えが悪くなるのを防止することができる。
【０１８４】
このようにして、本実施の形態４に係る伸縮機構露出防止ウエスト周り伸縮自在ボトムズとしての婦人用パンツ１Ｊ，１Ｋ，１Ｌ，１Ｍ，１Ｎ，１Ｐにおいては、量産性を損なうことなく、見栄え・美観を良好に保ちつつウエストサイズを伸縮自在とすることができるとともに、着用者等が伸縮機構を壊してしまうという事態を確実に防止できる。
【０１８５】
また、婦人用パンツ１Ｊ，１Ｋ，１Ｌ，１Ｍ，１Ｎ，１Ｐのウエスト周りが伸縮する際に、両脇ＬＳ，ＲＳの上部に設けられたタック１８が開閉することによって前身頃４にシワがよることがなく、より見栄えの良いウエスト周り伸縮自在ボトムズとなる。したがって、本実施の形態４に係る伸縮機構露出防止ウエスト周り伸縮自在ボトムズとしての婦人用パンツ１Ｊ，１Ｋ，１Ｌ，１Ｍ，１Ｎ，１Ｐは、請求項１乃至請求項３及び請求項６または請求項７の発明に係る伸縮機構露出防止ウエスト周り伸縮自在ボトムズに該当する。
【０１８６】
更に、本実施の形態４に特有の効果として、タック１８の近傍にポケット口２０を有する脇中間ポケット１９、片玉縁のポケット口２０Ａを有する片玉縁ポケット１９Ａ、両玉縁のポケット口２０Ｂを有する両玉縁ポケット１９Ｂ、またはフラップ付きのポケット口２０Ｃを有するフラップ付きポケット１９Ｃを設けたことによって、骨盤の大きい女性が着用してもポケット口２０Ａが変形して見栄えが悪くなるのを防止することができ、着用した際の美観がより向上するという作用効果が得られる。
【０１８７】
実施の形態５
次に、本発明の実施の形態５に係る伸縮機構露出防止ウエスト周り伸縮自在ボトムズについて、図２２乃至図２６を参照して説明する。
【０１８８】
図２２（ａ）は本発明の実施の形態５に係る伸縮機構露出防止ウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。図２３（ａ），（ｂ），（ｃ）は本発明の実施の形態５に係る伸縮機構露出防止ウエスト周り伸縮自在ボトムズの要部裏面の縫製途中の構成を示す部品展開図である。図２４（ａ），（ｂ）は本発明の実施の形態５に係る伸縮機構露出防止ウエスト周り伸縮自在ボトムズの縫製が完成した状態の裏側を示す部分拡大図である。
【０１８９】
図２５（ａ），（ｂ）は本発明の実施の形態５の第１変形例に係る伸縮機構露出防止ウエスト周り伸縮自在ボトムズの要部裏面の縫製途中の構成を示す部品展開図、（ｃ）は本発明の実施の形態５の第１変形例に係る伸縮機構露出防止ウエスト周り伸縮自在ボトムズの縫製が完成した状態の裏側を示す部分拡大図である。図２６（ａ）は本発明の実施の形態５の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【０１９０】
図２２（ａ）に示されるように、本実施の形態５に係る伸縮機構露出防止ウエスト周り伸縮自在ボトムズとしてのＬポケット付き綿パン２１は、前身頃２４のベルト部２３の近傍に左右１対のＬポケット２２を有しており、これらのＬポケット２２の脇線ＬＳ，ＲＳ部分の近傍に、ベルト部２３の見掛け上の長さを伸縮自在としたウエスト周り伸縮自在構造を有している。
【０１９１】
すなわち、ベルト部２３には左右１対のＬポケット２２の脇線ＬＳ，ＲＳ部分の近傍に、収容部２３Ａとその収容部２３Ａ内に挿入される延出部２３Ｂからなる重ね合せ部が形成されており、延出部２３Ｂの先端と収容部２３Ａとが収容部２３Ａ内において主弾性材としてのゴムテープで接続されることによって、ベルト部２３の見掛け上の長さを伸縮自在としている。
【０１９２】
これによって、ベルト部２３に引っ張り力が掛かっていない場合には、図２２（ｂ）に示されるようにＬポケット２２の脇線ＬＳ，ＲＳ部分の上部が収容部２３Ａの端と一致しており、ベルト部２３に引っ張り力が掛かってウエスト周りが伸びると、図２２（ｃ）に示されるようにＬポケット２２の脇線ＬＳ，ＲＳ部分の上部も延出部２３Ｂと一体に移動する。また、Ｌポケット２２の袋布が表側から見えないように、前身頃２４と共地の綿生地からなる当て布２９が左右１対のＬポケット２２の外側に縫付けられている。
【０１９３】
なお、図２２（ｂ），（ｃ）に示されるように、収容部２３Ａ及び延出部２３Ｂの上下端にはベルト布ステッチ２３ａ，２３ｂが施されている。ジーンズ（Ｇパン）、綿パンを始めとするカジュアルなボトムズにおいては、このようなベルト布ステッチ２３ａ，２３ｂを施すのが一般的であるが、Ｌポケット付きボトムズにおいてもドレス調の婦人用のボトムズではベルト布ステッチを施さない場合もある。以下の各図においては、図を見易くするため、ベルト布ステッチの図示を省略する。
【０１９４】
次に、ウエスト周り伸縮自在構造について、図２３を参照して説明する。図２３は左側のＬポケット２２の近傍をＬポケット付き綿パン２１の裏側から見て示したものである。図２３（ａ）に示されるように、収容部２３Ａを構成するベルト布２３Ａａは綿パン２１の前身頃２４と共地の綿生地であり、延出部２３Ｂを構成するベルト布２３Ｂａも綿パン２１の前身頃２４と共地の綿生地である。図２３（ａ）に示されるように、収容部２３Ａ及び延出部２３Ｂ内には、芯材としてのソフト芯ＳＣ及びハード芯ＨＣが、アイロンプレスによって貼り付けられている。
【０１９５】
ここで、図２３（ａ），（ｂ）に示されるように、収容部２３Ａの端２３Ａｂは表裏ともベルト部２３の長手方向に対して略垂直であり、収容部２３Ａの裏側の端からＬポケット２２の袋布２５の脇線ＬＳ，ＲＳよりに設けられたタック２６までの間に亘って、延出部２３Ｂの内部に長方形の伸縮性を有しない生地６の上端が縫付けられて、伸縮性を有しない生地６の下端がベルト部２３の下端に縫付けられる。また、収容部２３Ａを構成するベルト布２３Ａａの開口部近傍の内側には、延出部２３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【０１９６】
これら延出部２３Ｂの先端と収容部２３Ａの内側とが、収容部２３Ａの内部において主弾性材としての幅の広いゴムテープ１０によって接続されている。なお、本実施の形態６に係る伸縮機構露出防止ウエスト周り伸縮自在ボトムズとしてのＬポケット付き綿パン２１Ｃにおいては、伸び止め材１１の折り畳み部分の長さを約２ｃｍとして、ウエスト周りの伸縮長さを約２ｃｍとしている。
【０１９７】
また、図２３（ｃ）に示されるように、Ｌポケット２２の袋布２５の上端と延出部２３Ｂの下端とを補助弾性材としての幅の細いゴムテープ３０で接続しており、これによってウエスト周り伸縮自在構造によって延出部２３Ｂが移動する際にＬポケット２２の袋布２５の形状が崩れたりして見栄えが悪くなるのを防ぐ働きをしている。更に、図２３（ｃ）に破線で示されるように、Ｌポケット２２の袋布２５の表側には、想像線で示されるＬポケット２２の外縁２２Ａの外側に袋布２５の生地が見えるのを防ぐために、Ｌポケット付き綿パン２１の前身頃２４と共地の綿生地からなる当て布２９が当て布ステッチ２９ａによって縫付けられている。
【０１９８】
このような構造を有する収容部２３Ａを輪にして下端で閉じるとともに、図２３（ｂ）に示されるように、収容部２３Ａの下端にＬポケット２２の外縁２２Ａを形成するＬポケット付き綿パン２１の前身頃２４の側を縫付け、延出部２３Ｂを閉じるとともに延出部２３Ｂの下端にＬポケット２２の袋布２５の側を縫付ける。
【０１９９】
図２４（ａ）に示されるように、このようにして縫製が完成した本実施の形態５に係る伸縮機構露出防止ウエスト周り伸縮自在ボトムズとしてのＬポケット付き綿パン２１は、収容部２３Ａの表裏の端２３Ａｂがベルト部２３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。
【０２００】
また、延出部２３Ｂの内部に長方形の伸縮性を有しない生地６の上端が縫付けられて、伸縮性を有しない生地６の下端がベルト部２３の下端に縫付けられているために、図２４（ｂ）に示されるように、着用者等がゴムテープ１０の弾性力に抗して収容部２３Ａから延出部２３Ｂを引き出した場合に、興味本位で延出部２３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態を確実に防止することができる。
【０２０１】
更に、本実施の形態５に係る伸縮機構露出防止ウエスト周り伸縮自在ボトムズとしてのＬポケット付き綿パン２１においては、ウエスト周り伸縮自在構造によってウエスト周りが伸びて延出部２３Ｂが収容部２３Ａから抜き出される方向に移動する際に、Ｌポケット２２の周囲にシワ等を生ずることがない。Ｌポケット２２の外縁２２Ａが滑らかに変形する。これは、Ｌポケット２２の脇線ＬＳ，ＲＳ部分の裏側にタック２６が設けられており、ウエスト周りの伸長に伴ってタック２６が拡がるからである。
【０２０２】
次に、本実施の形態５の第１変形例に係る伸縮機構露出防止ウエスト周り伸縮自在ボトムズとしてのＬポケット付き綿パン２１Ａについて、図２５を参照して説明する。本実施の形態５の第１変形例に係るＬポケット付き綿パン２１Ａの基本的な構造は、上述した本実施の形態５に係るＬポケット付き綿パン２１とほぼ同様であるので、同一の部分には同一の符号を付して説明を省略する。
【０２０３】
図２５（ａ），（ｂ）に示されるように、第１変形例に係るＬポケット付き綿パン２１Ａが上述したＬポケット付き綿パン２１と異なるのは、延出部２３Ｂの内部に伸縮性を有しない生地６を縫付ける代わりに、延出部２３Ｂの折り返し部分の内部に両面接着芯１４を挟んでアイロンでプレスして延出部２３Ｂの折り返し部分を接着した点である。
【０２０４】
このようにして縫製されるＬポケット付き綿パン２１Ａは、収容部２３Ａの表裏の端２３Ａｂがベルト部２３の長手方向に対して略垂直であるため、ウエスト周り伸縮自在の性能を確保しながら見栄え・美観が良好に保たれ、全ての縫製作業をミシン縫いで行うことができるので、量産性を向上させることができる。
【０２０５】
また、延出部２３Ｂの内部に両面接着芯１４を挟んでアイロンでプレスして延出部２３Ｂの折り返し部分を接着したために、図２５（ｃ）に示されるように、着用者等がゴムテープ１０の弾性力に抗して収容部２３Ａから延出部２３Ｂを引き出した場合に、興味本位で延出部２３Ｂの下端をめくっても袋布２５の上端が見えるだけで、ゴムテープ１０，伸び止め材１１等の内部構造は見えないため、着用者等が内部構造を引き出して伸縮自在構造を壊してしまうという事態を確実に防止することができる。
【０２０６】
次に、本実施の形態５の第２変形例に係る伸縮機構露出防止ウエスト周り伸縮自在ボトムズとしてのＬポケット付き綿パン２１Ｂについて、図２６を参照して説明する。本実施の形態５の第２変形例に係るＬポケット付き綿パン２１Ｂの基本的な構造は、上述した本実施の形態５に係るＬポケット付き綿パン２１とほぼ同様であるので、同一の部分には同一の符号を付して説明を省略する。
【０２０７】
図２６（ａ），（ｂ）に示されるように、第２変形例に係るＬポケット付き綿パン２１Ｂが上述したＬポケット付き綿パン２１と異なるのは、延出部２３Ｂの内部に伸縮性を有しない生地６を縫付ける代わりに、延出部２３Ｂの折り返し部分を表側から裏側にかけて貫通するように、延出部２３Ｂの中間部分をベルト部２３の長手方向に沿って縫付けた（縫い付け部１６を設けた）点である。
【０２０８】
このようにして縫製されるＬポケット付き綿パン２１Ｂは、収容部２３Ａの表裏の端２３Ａｂがベルト部２３の長手方向に対して略垂直であるため、ウエスト周り伸縮自在の性能を確保しながら見栄え・美観が良好に保たれ、全ての縫製作業をミシン縫いで行うことができ、しかも延出部２３Ｂを縫付ける作業が簡単になるため、量産性をより向上させることができる。
【０２０９】
なお、このような構成とすると、延出部２３Ｂの中間部分をベルト部２３の長手方向に沿って縫付けた縫い付け部１６が外側から見えることになるが、Ｌポケット付き綿パン２１Ｂには複数のベルト通し１２が取付けられており、ベルト部２３の上からベルトを着用するため、縫い付け部１６はベルトの下に隠れて見えなくなる。
【０２１０】
そして、延出部２３Ｂの表側から裏側にかけて貫通するように延出部２３Ｂの中間部分をベルト部２３の長手方向に沿って縫付けているために、図２６（ｂ）に示されるように、着用者等がゴムテープ１０の弾性力に抗して収容部２３Ａから延出部２３Ｂを引き出した場合に、興味本位で延出部２３Ｂの縫付けられていない部分の下端をめくろうとしても、内部構造は見ることができず、延出部２３Ｂの裏側の一部が見えるだけで済むため、着用者等がゴムテープ１０等の内部構造を引き出して伸縮機構を壊してしまうという事態を確実に防止することができる。
【０２１１】
このようにして、本実施の形態５に係る伸縮機構露出防止ウエスト周り伸縮自在ボトムズとしてのＬポケット付き綿パン２１，２１Ａ，２１Ｂにおいては、量産性を損なうことなく、見栄え・美観を良好に保ちつつウエストサイズを伸縮自在とすることができるとともに、着用者等が伸縮機構を壊してしまうという事態を確実に防止できる。
【０２１２】
また、Ｌポケット付き綿パン２１，２１Ａ，２１Ｂのウエスト周りが伸縮する際に、両脇ＬＳ，ＲＳ部分の裏側に設けられたタック２６が開閉することによって前身頃２４にシワがよることがなく、より見栄えの良いウエスト周り伸縮自在ボトムズとなる。したがって、本実施の形態５に係る伸縮機構露出防止ウエスト周り伸縮自在ボトムズとしてのＬポケット付き綿パン２１，２１Ａ，２１Ｂは、請求項１乃至請求項３及び請求項１３の発明に係る伸縮機構露出防止ウエスト周り伸縮自在ボトムズに該当する。
【０２１３】
なお、Ｌポケット付き綿パン２１，２１Ａ，２１Ｂの両脇ＬＳ，ＲＳ部分の裏側にタック２６が設けられていなくとも、Ｌポケット２２が開閉することによって生地の余裕が生ずるため、ウエスト周りが伸縮する際に身頃にシワがよることがなく、見栄えの良いウエスト周り伸縮自在ボトムズとなるとともに、量産性を損なうことなく、着用者等が伸縮機構を壊してしまうという事態を確実に防止できる。この場合のＬポケット付き綿パンは、請求項１乃至請求項３及び請求項１０の発明に係る伸縮機構露出防止ウエスト周り伸縮自在ボトムズに該当する。
【０２１４】
実施の形態６
次に、本発明の実施の形態６に係る伸縮機構露出防止ウエスト周り伸縮自在ボトムズについて、図２７乃至図３１を参照して説明する。
【０２１５】
図２７（ａ）は本発明の実施の形態６に係る伸縮機構露出防止ウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。図２８（ａ），（ｂ），（ｃ）は本発明の実施の形態６に係る伸縮機構露出防止ウエスト周り伸縮自在ボトムズの要部裏面の縫製途中の構成を示す部品展開図である。図２９（ａ），（ｂ）は本発明の実施の形態６に係る伸縮機構露出防止ウエスト周り伸縮自在ボトムズの縫製が完成した状態の裏側を示す部分拡大図である。
【０２１６】
図３０（ａ），（ｂ）は本発明の実施の形態６の第１変形例に係る伸縮機構露出防止ウエスト周り伸縮自在ボトムズの要部裏面の縫製途中の構成を示す部品展開図、（ｃ）は本発明の実施の形態６の第１変形例に係る伸縮機構露出防止ウエスト周り伸縮自在ボトムズの縫製が完成した状態の裏側を示す部分拡大図である。図３１（ａ）は本発明の実施の形態６の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【０２１７】
図２７（ａ）に示されるように、本実施の形態６に係る伸縮機構露出防止ウエスト周り伸縮自在ボトムズとしてのＬポケット付き綿パン２１Ｃは、前身頃２４のベルト部２３の近傍に左右１対のＬポケット２２を有しており、これらのＬポケット２２のポケット口外縁２２Ａの前中心ＦＣよりの部分（外縁２２Ａの上部）の近傍に、ベルト部２３の見掛け上の長さを伸縮自在としたウエスト周り伸縮自在構造を有している。
【０２１８】
すなわち、ベルト部２３には左右１対のＬポケット２２のポケット口外縁２２Ａの近傍に、収容部２３Ａとその収容部２３Ａ内に挿入される延出部２３Ｂからなる重ね合せ部が形成されており、延出部２３Ｂの先端と収容部２３Ａとが収容部２３Ａ内において主弾性材としてのゴムテープで接続されることによって、ベルト部２３の見掛け上の長さを伸縮自在としている。
【０２１９】
これによって、ベルト部２３に引っ張り力が掛かっていない場合には、図２７（ｂ）に示されるようにＬポケット２２の外縁２２Ａの上部が収容部２３Ａの端と一致しており、ベルト部２３に引っ張り力が掛かってウエスト周りが伸びると、図２７（ｃ）に示されるようにＬポケット２２の外縁２２Ａの上部も延出部２３Ｂと一体に移動する。また、Ｌポケット２２の袋布が表側から見えないようにするために、前身頃２４と共地の綿生地からなる当て布２９が左右１対のＬポケット２２の外側に縫付けられている。
【０２２０】
なお、図２７（ｂ），（ｃ）に示されるように、収容部２３Ａ及び延出部２３Ｂの上下端にはベルト布ステッチ２３ａ，２３ｂが施されている。ジーンズ（Ｇパン）、綿パンを始めとするカジュアルなボトムズにおいては、このようなベルト布ステッチ２３ａ，２３ｂを施すのが一般的であるが、Ｌポケット付きボトムズにおいてもドレス調の婦人用のボトムズではベルト布ステッチを施さない場合もある。以下の各図においては、図を見易くするため、ベルト布ステッチの図示を省略する。
【０２２１】
次に、ウエスト周り伸縮自在構造について、図２８を参照して説明する。図２８は左側のＬポケット２２の近傍をＬポケット付き綿パン２１Ｃの裏側から見て示したものである。図２８（ａ）に示されるように、収容部２３Ａを構成するベルト布２３Ａａは綿パン２１の前身頃２４と共地の綿生地であり、延出部２３Ｂを構成するベルト布２３Ｂａも綿パン２１の前身頃２４と共地の綿生地である。図２８（ａ）に示されるように、収容部２３Ａ及び延出部２３Ｂ内には、芯材としてのソフト芯ＳＣ及びハード芯ＨＣが、アイロンプレスによって貼り付けられている。
【０２２２】
ここで、図２８（ａ），（ｂ）に示されるように、収容部２３Ａの端２３Ａｂは表裏ともベルト部２３の長手方向に対して略垂直であり、収容部２３Ａの裏側の端からＬポケット２２の袋布２５の前中心ＦＣよりの端までの間に亘って、延出部２３Ｂの内部に長方形の伸縮性を有しない生地６の上端が縫付けられて、伸縮性を有しない生地６の下端がベルト部２３の下端に縫付けられる。また、収容部２３Ａを構成するベルト布２３Ａａの開口部近傍の内側には、延出部２３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【０２２３】
これら延出部２３Ｂの先端と収容部２３Ａの内側とが、収容部２３Ａの内部において主弾性材としての幅の広いゴムテープ１０によって接続されている。なお、本実施の形態６に係る伸縮機構露出防止ウエスト周り伸縮自在ボトムズとしてのＬポケット付き綿パン２１Ｃにおいては、伸び止め材１１の折り畳み部分の長さを約２ｃｍとして、ウエスト周りの伸縮長さを約２ｃｍとしている。
【０２２４】
また、図２８（ｃ）に示されるように、Ｌポケット２２の袋布２５の上端と延出部２３Ｂの下端とを補助弾性材としての幅の細いゴムテープ３０で接続しており、これによってウエスト周り伸縮自在構造によって延出部２３Ｂが移動する際にＬポケット２２の袋布２５の形状が崩れたりして見栄えが悪くなるのを防ぐ働きをしている。更に、図２８（ｃ）に破線で示されるように、Ｌポケット２２の袋布２５の表側には、想像線で示されるＬポケット２２の外縁２２Ａの外側に袋布２５の生地が見えるのを防ぐために、Ｌポケット付き綿パン２１Ｃの前身頃２４と共地の綿生地からなる当て布２９が当て布ステッチ２９ａによって縫付けられている。
【０２２５】
このような構造を有する収容部２３Ａを輪にして下端で閉じるとともに、図２８（ｂ）に示されるように、収容部２３Ａの下端にＬポケット２２の袋布２５の側を縫付け、延出部２３Ｂを閉じるとともに延出部２３Ｂの下端にＬポケット２２の外縁２２Ａを形成するＬポケット付き綿パン２１Ｃの前身頃２４の側を縫付ける。
【０２２６】
図２９（ａ）に示されるように、このようにして縫製が完成した本実施の形態６に係る伸縮機構露出防止ウエスト周り伸縮自在ボトムズとしてのＬポケット付き綿パン２１Ｃは、収容部２３Ａの表裏の端２３Ａｂがベルト部２３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。
【０２２７】
また、延出部２３Ｂの内部に長方形の伸縮性を有しない生地６の上端が縫付けられて、伸縮性を有しない生地６の下端がベルト部２３の下端に縫付けられているために、図２９（ｂ）に示されるように、着用者等がゴムテープ１０の弾性力に抗して収容部２３Ａから延出部２３Ｂを引き出した場合に、興味本位で延出部２３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態を確実に防止することができる。
【０２２８】
更に、本実施の形態６に係る伸縮機構露出防止ウエスト周り伸縮自在ボトムズとしてのＬポケット付き綿パン２１Ｃにおいては、ウエスト周り伸縮自在構造によってウエスト周りが伸びて延出部２３Ｂが収容部２３Ａから抜き出される方向に移動する際に、Ｌポケット２２の周囲にシワ等を生ずることなくＬポケット２２の外縁２２Ａが滑らかに変形する。これは、Ｌポケット２２の外縁２２Ａが伸縮性を有しているからである。
【０２２９】
次に、本実施の形態６の第１変形例に係る伸縮機構露出防止ウエスト周り伸縮自在ボトムズとしてのＬポケット付き綿パン２１Ｄについて、図３０を参照して説明する。本実施の形態６の第１変形例に係るＬポケット付き綿パン２１Ｄの基本的な構造は、上述した本実施の形態６に係るＬポケット付き綿パン２１Ｃとほぼ同様であるので、同一の部分には同一の符号を付して説明を省略する。
【０２３０】
図３０（ａ），（ｂ）に示されるように、第１変形例に係るＬポケット付き綿パン２１Ｄが上述したＬポケット付き綿パン２１Ｃと異なるのは、延出部２３Ｂの内部に伸縮性を有しない生地６を縫付ける代わりに、延出部２３Ｂの折り返し部分の内部に両面接着芯１４を挟んでアイロンでプレスして延出部２３Ｂの折り返し部分を接着した点である。
【０２３１】
このようにして縫製されるＬポケット付き綿パン２１Ｄは、収容部２３Ａの表裏の端２３Ａｂがベルト部２３の長手方向に対して略垂直であるため、ウエスト周り伸縮自在の性能を確保しながら見栄え・美観が良好に保たれ、全ての縫製作業をミシン縫いで行うことができるので、量産性を向上させることができる。
【０２３２】
また、延出部２３Ｂの内部に両面接着芯１４を挟んでアイロンでプレスして延出部２３Ｂの折り返し部分を接着したために、図３０（ｃ）に示されるように、着用者等がゴムテープ１０の弾性力に抗して収容部２３Ａから延出部２３Ｂを引き出した場合に、興味本位で延出部２３Ｂの下端をめくっても袋布２５の上端が見えるだけで、ゴムテープ１０，伸び止め材１１等の内部構造は見えないため、着用者等が内部構造を引き出して伸縮自在構造を壊してしまうという事態を確実に防止することができる。
【０２３３】
次に、本実施の形態６の第２変形例に係る伸縮機構露出防止ウエスト周り伸縮自在ボトムズとしてのＬポケット付き綿パン２１Ｅについて、図３１を参照して説明する。本実施の形態６の第２変形例に係るＬポケット付き綿パン２１Ｅの基本的な構造は、上述した本実施の形態６に係るＬポケット付き綿パン２１Ｃとほぼ同様であるので、同一の部分には同一の符号を付して説明を省略する。
【０２３４】
図３１（ａ），（ｂ）に示されるように、第２変形例に係るＬポケット付き綿パン２１Ｅが上述したＬポケット付き綿パン２１Ｃと異なるのは、延出部２３Ｂの内部に伸縮性を有しない生地６を縫付ける代わりに、延出部２３Ｂの折り返し部分を表側から裏側にかけて貫通するように、延出部２３Ｂの中間部分をベルト部２３の長手方向に沿って縫付けた（縫い付け部１６を設けた）点である。
【０２３５】
このようにして縫製されるＬポケット付き綿パン２１Ｅは、収容部２３Ａの表裏の端２３Ａｂがベルト部２３の長手方向に対して略垂直であるため、ウエスト周り伸縮自在の性能を確保しながら見栄え・美観が良好に保たれ、全ての縫製作業をミシン縫いで行うことができ、しかも延出部２３Ｂを縫付ける作業が簡単になるため、量産性をより向上させることができる。
【０２３６】
なお、このような構成とすると、延出部２３Ｂの中間部分をベルト部２３の長手方向に沿って縫付けた縫い付け部１６が外側から見えることになるが、Ｌポケット付き綿パン２１Ｅには複数のベルト通し１２が取付けられており、ベルト部２３の上からベルトを着用するため、縫い付け部１６はベルトの下に隠れて見えなくなる。
【０２３７】
そして、延出部２３Ｂの表側から裏側にかけて貫通するように延出部２３Ｂの中間部分をベルト部２３の長手方向に沿って縫付けているために、図３１（ｂ）に示されるように、着用者等がゴムテープ１０の弾性力に抗して収容部２３Ａから延出部２３Ｂを引き出した場合に、興味本位で延出部２３Ｂの縫付けられていない部分の下端をめくろうとしても、内部構造は見ることができず、延出部２３Ｂの裏側の一部が見えるだけで済むため、着用者等がゴムテープ１０等の内部構造を引き出して伸縮機構を壊してしまうという事態を確実に防止することができる。
【０２３８】
このようにして、本実施の形態６に係る伸縮機構露出防止ウエスト周り伸縮自在ボトムズとしてのＬポケット付き綿パン２１Ｃ，２１Ｄ，２１Ｅにおいては、量産性を損なうことなく、見栄え・美観を良好に保ちつつウエストサイズを伸縮自在とすることができるとともに、着用者等が伸縮機構を壊してしまうという事態を確実に防止できる。
【０２３９】
また、Ｌポケット付き綿パン２１Ｃ，２１Ｄ，２１Ｅのウエスト周りが伸縮する際に、両脇ＬＳ，ＲＳ部分の表側に設けられたタック２７が開閉することによって前身頃２４にシワがよることがなく、より見栄えの良いウエスト周り伸縮自在ボトムズとなる。したがって、本実施の形態６に係る伸縮機構露出防止ウエスト周り伸縮自在ボトムズとしてのＬポケット付き綿パン２１Ｃ，２１Ｄ，２１Ｅは、請求項１乃至請求項３及び請求項１２の発明に係る伸縮機構露出防止ウエスト周り伸縮自在ボトムズに該当する。
【０２４０】
実施の形態７
次に、本発明の実施の形態７に係る伸縮機構露出防止ウエスト周り伸縮自在ボトムズについて、図３２乃至図３６を参照して説明する。
【０２４１】
図３２（ａ）は本発明の実施の形態７に係る伸縮機構露出防止ウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。図３３（ａ），（ｂ），（ｃ）は本発明の実施の形態７に係る伸縮機構露出防止ウエスト周り伸縮自在ボトムズの要部裏面の縫製途中の構成を示す部品展開図である。図３４（ａ），（ｂ）は本発明の実施の形態７に係る伸縮機構露出防止ウエスト周り伸縮自在ボトムズの縫製が完成した状態の裏側を示す部分拡大図である。
【０２４２】
図３５（ａ），（ｂ）は本発明の実施の形態７の第１変形例に係る伸縮機構露出防止ウエスト周り伸縮自在ボトムズの要部裏面の縫製途中の構成を示す部品展開図、（ｃ）は本発明の実施の形態７の第１変形例に係る伸縮機構露出防止ウエスト周り伸縮自在ボトムズの縫製が完成した状態の裏側を示す部分拡大図である。図３６（ａ）は本発明の実施の形態７の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【０２４３】
図３２（ａ）に示されるように、本実施の形態７に係る伸縮機構露出防止ウエスト周り伸縮自在ボトムズとしてのＬポケット付き綿パン２１Ｆは、前身頃２４のベルト部２３の近傍に左右１対のＬポケット２２を有しており、これらのＬポケット２２のポケット口外縁２２Ａの前中心ＦＣよりの部分（外縁２２Ａの上部）の近傍に、ベルト部２３の見掛け上の長さを伸縮自在としたウエスト周り伸縮自在構造を有している。
【０２４４】
すなわち、ベルト部２３には左右１対のＬポケット２２のポケット口外縁２２Ａの近傍に、収容部２３Ａとその収容部２３Ａ内に挿入される延出部２３Ｂからなる重ね合せ部が形成されており、延出部２３Ｂの先端と収容部２３Ａとが収容部２３Ａ内において主弾性材としてのゴムテープで接続されることによって、ベルト部２３の見掛け上の長さを伸縮自在としている。
【０２４５】
これによって、ベルト部２３に引っ張り力が掛かっていない場合には、図３２（ｂ）に示されるようにＬポケット２２の外縁２２Ａの上部が収容部２３Ａの端と一致しており、ベルト部２３に引っ張り力が掛かってウエスト周りが伸びると、図３２（ｃ）に示されるようにＬポケット２２の外縁２２Ａの上部も延出部２３Ｂと一体に移動する。また、Ｌポケット２２の袋布が表側から見えないようにするために、前身頃２４と共地の綿生地からなる当て布２９が左右１対のＬポケット２２の外側に縫付けられている。
【０２４６】
なお、図３２（ｂ），（ｃ）に示されるように、収容部２３Ａ及び延出部２３Ｂの上下端にはベルト布ステッチ２３ａ，２３ｂが施されている。ジーンズ（Ｇパン）、綿パンを始めとするカジュアルなボトムズにおいては、このようなベルト布ステッチ２３ａ，２３ｂを施すのが一般的であるが、Ｌポケット付きボトムズにおいてもドレス調の婦人用のボトムズではベルト布ステッチを施さない場合もある。以下の各図においては、図を見易くするため、ベルト布ステッチの図示を省略する。
【０２４７】
次に、ウエスト周り伸縮自在構造について、図３３を参照して説明する。図３３は左側のＬポケット２２の近傍をＬポケット付き綿パン２１Ｆの裏側から見て示したものである。図３３（ａ）に示されるように、収容部２３Ａを構成するベルト布２３Ａａは綿パン２１Ｆの前身頃２４と共地の綿生地であり、延出部２３Ｂを構成するベルト布２３Ｂａも綿パン２１Ｆの前身頃２４と共地の綿生地である。図３３（ａ）に示されるように、収容部２３Ａ及び延出部２３Ｂ内には、芯材としてのソフト芯ＳＣ及びハード芯ＨＣが、アイロンプレスによって貼り付けられている。
【０２４８】
ここで、図３３（ａ），（ｂ）に示されるように、収容部２３Ａの端２３Ａｂは表裏ともベルト部２３の長手方向に対して略垂直であり、収容部２３Ａの裏側の端からＬポケット２２の袋布２５の前中心ＦＣよりの端までの間に亘って、延出部２３Ｂの内部に長方形の伸縮性を有しない生地６の上端が縫付けられて、伸縮性を有しない生地６の下端がベルト部２３の下端に縫付けられる。また、収容部２３Ａを構成するベルト布２３Ａａの開口部近傍の内側には、延出部２３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【０２４９】
これら延出部２３Ｂの先端と収容部２３Ａの内側とが、収容部２３Ａの内部において主弾性材としての幅の広いゴムテープ１０によって接続されている。なお、本実施の形態７に係る伸縮機構露出防止ウエスト周り伸縮自在ボトムズとしてのＬポケット付き綿パン２１Ｆにおいては、伸び止め材１１の折り畳み部分の長さを約２ｃｍとして、ウエスト周りの伸縮長さを約２ｃｍとしている。
【０２５０】
また、図３３（ｃ）に示されるように、Ｌポケット２２の袋布２５の上端と延出部２３Ｂの下端とを補助弾性材としての幅の細いゴムテープ３０で接続しており、これによってウエスト周り伸縮自在構造によって延出部２３Ｂが移動する際にＬポケット２２の袋布２５の形状が崩れたりして見栄えが悪くなるのを防ぐ働きをしている。更に、図３３（ｃ）に破線で示されるように、Ｌポケット２２の袋布２５の表側には、想像線で示されるＬポケット２２の外縁２２Ａの外側に袋布２５の生地が見えるのを防ぐために、Ｌポケット付き綿パン２１Ｆの前身頃２４と共地の綿生地からなる当て布２９が当て布ステッチ２９ａによって縫付けられている。
【０２５１】
このような構造を有する収容部２３Ａを輪にして下端で閉じるとともに、図３３（ｂ）に示されるように、収容部２３Ａの下端にＬポケット２２の袋布２５の側を縫付け、延出部２３Ｂを閉じるとともに延出部２３Ｂの下端にＬポケット２２の外縁２２Ａを形成するＬポケット付き綿パン２１Ｆの前身頃２４の側を縫付ける。
【０２５２】
図３４（ａ）に示されるように、このようにして縫製が完成した本実施の形態７に係る伸縮機構露出防止ウエスト周り伸縮自在ボトムズとしてのＬポケット付き綿パン２１Ｆは、収容部２３Ａの表裏の端２３Ａｂがベルト部２３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。
【０２５３】
また、延出部２３Ｂの内部に長方形の伸縮性を有しない生地６の上端が縫付けられて、伸縮性を有しない生地６の下端がベルト部２３の下端に縫付けられているために、図３４（ｂ）に示されるように、着用者等がゴムテープ１０の弾性力に抗して収容部２３Ａから延出部２３Ｂを引き出した場合に、興味本位で延出部２３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態を確実に防止することができる。
【０２５４】
更に、本実施の形態７に係る伸縮機構露出防止ウエスト周り伸縮自在ボトムズとしてのＬポケット付き綿パン２１Ｃにおいては、ウエスト周り伸縮自在構造によってウエスト周りが伸びて延出部２３Ｂが収容部２３Ａから抜き出される方向に移動する際に、Ｌポケット２２の周囲にシワ等を生ずることなくＬポケット２２の外縁２２Ａが滑らかに変形する。これは、Ｌポケット２２の外縁２２Ａが伸縮性を有しているからである。
【０２５５】
次に、本実施の形態７の第１変形例に係る伸縮機構露出防止ウエスト周り伸縮自在ボトムズとしてのＬポケット付き綿パン２１Ｇについて、図３５を参照して説明する。本実施の形態７の第１変形例に係るＬポケット付き綿パン２１Ｇの基本的な構造は、上述した本実施の形態７に係るＬポケット付き綿パン２１Ｆとほぼ同様であるので、同一の部分には同一の符号を付して説明を省略する。
【０２５６】
図３５（ａ），（ｂ）に示されるように、第１変形例に係るＬポケット付き綿パン２１Ｇが上述したＬポケット付き綿パン２１Ｆと異なるのは、延出部２３Ｂの内部に伸縮性を有しない生地６を縫付ける代わりに、延出部２３Ｂの折り返し部分の内部に両面接着芯１４を挟んでアイロンでプレスして延出部２３Ｂの折り返し部分を接着した点である。
【０２５７】
このようにして縫製されるＬポケット付き綿パン２１Ｇは、収容部２３Ａの表裏の端２３Ａｂがベルト部２３の長手方向に対して略垂直であるため、ウエスト周り伸縮自在の性能を確保しながら見栄え・美観が良好に保たれ、全ての縫製作業をミシン縫いで行うことができるので、量産性を向上させることができる。
【０２５８】
また、延出部２３Ｂの内部に両面接着芯１４を挟んでアイロンでプレスして延出部２３Ｂの折り返し部分を接着したために、図３５（ｃ）に示されるように、着用者等がゴムテープ１０の弾性力に抗して収容部２３Ａから延出部２３Ｂを引き出した場合に、興味本位で延出部２３Ｂの下端をめくっても袋布２５の上端が見えるだけで、ゴムテープ１０，伸び止め材１１等の内部構造は見えないため、着用者等が内部構造を引き出して伸縮自在構造を壊してしまうという事態を確実に防止することができる。
【０２５９】
次に、本実施の形態７の第２変形例に係る伸縮機構露出防止ウエスト周り伸縮自在ボトムズとしてのＬポケット付き綿パン２１Ｈについて、図３６を参照して説明する。本実施の形態７の第２変形例に係るＬポケット付き綿パン２１Ｈの基本的な構造は、上述した本実施の形態７に係るＬポケット付き綿パン２１Ｆとほぼ同様であるので、同一の部分には同一の符号を付して説明を省略する。
【０２６０】
図３６（ａ），（ｂ）に示されるように、第２変形例に係るＬポケット付き綿パン２１Ｈが上述したＬポケット付き綿パン２１Ｆと異なるのは、延出部２３Ｂの内部に伸縮性を有しない生地６を縫付ける代わりに、延出部２３Ｂの折り返し部分を表側から裏側にかけて貫通するように、延出部２３Ｂの中間部分をベルト部２３の長手方向に沿って縫付けた（縫い付け部１６を設けた）点である。
【０２６１】
このようにして縫製されるＬポケット付き綿パン２１Ｈは、収容部２３Ａの表裏の端２３Ａｂがベルト部２３の長手方向に対して略垂直であるため、ウエスト周り伸縮自在の性能を確保しながら見栄え・美観が良好に保たれ、全ての縫製作業をミシン縫いで行うことができ、しかも延出部２３Ｂを縫付ける作業が簡単になるため、量産性をより向上させることができる。
【０２６２】
なお、このような構成とすると、延出部２３Ｂの中間部分をベルト部２３の長手方向に沿って縫付けた縫い付け部１６が外側から見えることになるが、Ｌポケット付き綿パン２１Ｈには複数のベルト通し１２が取付けられており、ベルト部２３の上からベルトを着用するため、縫い付け部１６はベルトの下に隠れて見えなくなる。
【０２６３】
そして、延出部２３Ｂの表側から裏側にかけて貫通するように延出部２３Ｂの中間部分をベルト部２３の長手方向に沿って縫付けているために、図３６（ｂ）に示されるように、着用者等がゴムテープ１０の弾性力に抗して収容部２３Ａから延出部２３Ｂを引き出した場合に、興味本位で延出部２３Ｂの縫付けられていない部分の下端をめくろうとしても、内部構造は見ることができず、延出部２３Ｂの裏側の一部が見えるだけで済むため、着用者等がゴムテープ１０等の内部構造を引き出して伸縮機構を壊してしまうという事態を確実に防止することができる。
【０２６４】
このようにして、本実施の形態７に係る伸縮機構露出防止ウエスト周り伸縮自在ボトムズとしてのＬポケット付き綿パン２１Ｆ，２１Ｇ，２１Ｈにおいては、量産性を損なうことなく、見栄え・美観を良好に保ちつつウエストサイズを伸縮自在とすることができるとともに、着用者等が伸縮機構を壊してしまうという事態を確実に防止できる。
【０２６５】
また、Ｌポケット付き綿パン２１Ｆ，２１Ｇ，２１Ｈのウエスト周りが伸縮する際に、Ｌポケット２２の外縁２２Ａの前中心ＦＣ側の上部が伸縮することによって、Ｌポケット２２の周囲及び前身頃２４にシワがよることがなく、より見栄えの良いウエスト周り伸縮自在ボトムズとなる。したがって、本実施の形態７に係る伸縮機構露出防止ウエスト周り伸縮自在ボトムズとしてのＬポケット付き綿パン２１Ｆ，２１Ｇ，２１Ｈは、請求項１乃至請求項３及び請求項１０の発明に係る伸縮機構露出防止ウエスト周り伸縮自在ボトムズに該当する。
【０２６６】
実施の形態８
次に、本発明の実施の形態８に係る伸縮機構露出防止ウエスト周り伸縮自在ボトムズについて、図３７乃至図４１を参照して説明する。
【０２６７】
図３７（ａ）は本発明の実施の形態８に係る伸縮機構露出防止ウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。図３８（ａ），（ｂ），（ｃ）は本発明の実施の形態８に係る伸縮機構露出防止ウエスト周り伸縮自在ボトムズの要部裏面の縫製途中の構成を示す部品展開図である。図３９（ａ），（ｂ）は本発明の実施の形態８に係る伸縮機構露出防止ウエスト周り伸縮自在ボトムズの縫製が完成した状態の裏側を示す部分拡大図である。
【０２６８】
図４０（ａ），（ｂ）は本発明の実施の形態８の第１変形例に係る伸縮機構露出防止ウエスト周り伸縮自在ボトムズの要部裏面の縫製途中の構成を示す部品展開図、（ｃ）は本発明の実施の形態８の第１変形例に係る伸縮機構露出防止ウエスト周り伸縮自在ボトムズの縫製が完成した状態の裏側を示す部分拡大図である。図４１（ａ）は本発明の実施の形態８の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【０２６９】
図３７（ａ）に示されるように、本実施の形態８に係る伸縮機構露出防止ウエスト周り伸縮自在ボトムズとしてのＬポケット付き綿パン２１Ｊは、前身頃２４のベルト部２３の近傍に左右１対のＬポケット２２を有しており、これらのＬポケット２２のポケット口外縁２２Ａの前中心ＦＣよりの部分（外縁２２Ａの上部）の近傍に、ベルト部２３の見掛け上の長さを伸縮自在としたウエスト周り伸縮自在構造を有している。
【０２７０】
すなわち、ベルト部２３には左右１対のＬポケット２２のポケット口外縁２２Ａの近傍に、収容部２３Ａとその収容部２３Ａ内に挿入される延出部２３Ｂからなる重ね合せ部が形成されており、延出部２３Ｂの先端と収容部２３Ａとが収容部２３Ａ内において主弾性材としてのゴムテープで接続されることによって、ベルト部２３の見掛け上の長さを伸縮自在としている。
【０２７１】
これによって、ベルト部２３に引っ張り力が掛かっていない場合には、図３７（ｂ）に示されるようにＬポケット２２の外縁２２Ａの上部が収容部２３Ａの端と一致しており、ベルト部２３に引っ張り力が掛かってウエスト周りが伸びると、図３７（ｃ）に示されるようにＬポケット２２の外縁２２Ａの上部も延出部２３Ｂと一体に移動する。また、Ｌポケット２２の袋布が表側から見えないようにするために、前身頃２４と共地の綿生地からなる当て布２９が左右１対のＬポケット２２の外側に縫付けられている。
【０２７２】
なお、図３７（ｂ），（ｃ）に示されるように、収容部２３Ａ及び延出部２３Ｂの上下端にはベルト布ステッチ２３ａ，２３ｂが施されている。ジーンズ（Ｇパン）、綿パンを始めとするカジュアルなボトムズにおいては、このようなベルト布ステッチ２３ａ，２３ｂを施すのが一般的であるが、Ｌポケット付きボトムズにおいてもドレス調の婦人用のボトムズではベルト布ステッチを施さない場合もある。以下の各図においては、図を見易くするため、ベルト布ステッチの図示を省略する。
【０２７３】
次に、ウエスト周り伸縮自在構造について、図３８を参照して説明する。図３８は左側のＬポケット２２の近傍をＬポケット付き綿パン２１Ｊの裏側から見て示したものである。図３８（ａ）に示されるように、収容部２３Ａを構成するベルト布２３Ａａは綿パン２１Ｊの前身頃２４と共地の綿生地であり、延出部２３Ｂを構成するベルト布２３Ｂａも綿パン２１Ｊの前身頃２４と共地の綿生地である。図３８（ａ）に示されるように、収容部２３Ａ及び延出部２３Ｂ内には、芯材としてのソフト芯ＳＣ及びハード芯ＨＣが、アイロンプレスによって貼り付けられている。
【０２７４】
ここで、図３８（ａ），（ｂ）に示されるように、収容部２３Ａの端２３Ａｂは表裏ともベルト部２３の長手方向に対して略垂直であり、収容部２３Ａの裏側の端からＬポケット２２の袋布２５の前中心ＦＣよりの端までの間に亘って、延出部２３Ｂの内部に長方形の伸縮性を有しない生地６の上端が縫付けられて、伸縮性を有しない生地６の下端がベルト部２３の下端に縫付けられる。また、収容部２３Ａを構成するベルト布２３Ａａの開口部近傍の内側には、延出部２３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【０２７５】
これら延出部２３Ｂの先端と収容部２３Ａの内側とが、収容部２３Ａの内部において主弾性材としての幅の広いゴムテープ１０によって接続されている。なお、本実施の形態８に係る伸縮機構露出防止ウエスト周り伸縮自在ボトムズとしてのＬポケット付き綿パン２１Ｊにおいては、伸び止め材１１の折り畳み部分の長さを約２．５ｃｍとして、ウエスト周りの伸縮長さを約２．５ｃｍとしている。
【０２７６】
また、図３８（ｃ）に示されるように、Ｌポケット２２の袋布２５の上端と延出部２３Ｂの下端とを補助弾性材としての幅の細いゴムテープ３０で接続しており、これによってウエスト周り伸縮自在構造によって延出部２３Ｂが移動する際にＬポケット２２の袋布２５の形状が崩れたりして見栄えが悪くなるのを防ぐ働きをしている。更に、図３８（ｃ）に破線で示されるように、Ｌポケット２２の袋布２５の表側には、想像線で示されるＬポケット２２の外縁２２Ａの外側に袋布２５の生地が見えるのを防ぐために、Ｌポケット付き綿パン２１Ｃの前身頃２４と共地の綿生地からなる当て布２９が当て布ステッチ２９ａによって縫付けられている。
【０２７７】
このような構造を有する収容部２３Ａを輪にして下端で閉じるとともに、図３８（ｂ）に示されるように、収容部２３Ａの下端にＬポケット２２の袋布２５の側を縫付け、延出部２３Ｂを閉じるとともに延出部２３Ｂの下端にＬポケット２２の外縁２２Ａを形成するＬポケット付き綿パン２１Ｊの前身頃２４の側を縫付ける。
【０２７８】
図３９（ａ）に示されるように、このようにして縫製が完成した本実施の形態８に係る伸縮機構露出防止ウエスト周り伸縮自在ボトムズとしてのＬポケット付き綿パン２１Ｊは、収容部２３Ａの表裏の端２３Ａｂがベルト部２３の長手方向に対して略垂直であるため、ウエスト周り伸縮自在の性能を確保しながら、見栄え・美観が良好に保たれるとともに、全ての縫製作業をミシン縫いで行うことができ、量産性を向上させることができる。
【０２７９】
また、延出部２３Ｂの内部に長方形の伸縮性を有しない生地６の上端が縫付けられて、伸縮性を有しない生地６の下端がベルト部２３の下端に縫付けられているために、図３９（ｂ）に示されるように、着用者等がゴムテープ１０の弾性力に抗して収容部２３Ａから延出部２３Ｂを引き出した場合に、興味本位で延出部２３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態を確実に防止することができる。
【０２８０】
更に、本実施の形態８に係る伸縮機構露出防止ウエスト周り伸縮自在ボトムズとしてのＬポケット付き綿パン２１Ｊにおいては、ウエスト周り伸縮自在構造によってウエスト周りが伸びて延出部２３Ｂが収容部２３Ａから抜き出される方向に移動する際に、Ｌポケット２２の周囲にシワ等を生ずることなくＬポケット２２の外縁２２Ａが滑らかに変形する。これは、Ｌポケット２２の袋布２５の前中心ＦＣよりに、タック１８が設けられており、ウエスト周りの伸長に伴ってタック１８が拡がるからである。
【０２８１】
次に、本実施の形態８の第１変形例に係る伸縮機構露出防止ウエスト周り伸縮自在ボトムズとしてのＬポケット付き綿パン２１Ｋについて、図４０を参照して説明する。本実施の形態８の第１変形例に係るＬポケット付き綿パン２１Ｋの基本的な構造は、上述した本実施の形態８に係るＬポケット付き綿パン２１Ｊとほぼ同様であるので、同一の部分には同一の符号を付して説明を省略する。
【０２８２】
図４０（ａ），（ｂ）に示されるように、第１変形例に係るＬポケット付き綿パン２１Ｋが上述したＬポケット付き綿パン２１Ｊと異なるのは、延出部２３Ｂの内部に伸縮性を有しない生地６を縫付ける代わりに、延出部２３Ｂの折り返し部分の内部に両面接着芯１４を挟んでアイロンでプレスして延出部２３Ｂの折り返し部分を接着した点である。
【０２８３】
このようにして縫製されるＬポケット付き綿パン２１Ｋは、収容部２３Ａの表裏の端２３Ａｂがベルト部２３の長手方向に対して略垂直であるため、ウエスト周り伸縮自在の性能を確保しながら見栄え・美観が良好に保たれ、全ての縫製作業をミシン縫いで行うことができるので、量産性を向上させることができる。
【０２８４】
また、延出部２３Ｂの内部に両面接着芯１４を挟んでアイロンでプレスして延出部２３Ｂの折り返し部分を接着したために、図４０（ｃ）に示されるように、着用者等がゴムテープ１０の弾性力に抗して収容部２３Ａから延出部２３Ｂを引き出した場合に、興味本位で延出部２３Ｂの下端をめくっても袋布２５の上端が見えるだけで、ゴムテープ１０，伸び止め材１１等の内部構造は見えないため、着用者等が内部構造を引き出して伸縮自在構造を壊してしまうという事態を確実に防止することができる。
【０２８５】
次に、本実施の形態８の第２変形例に係る伸縮機構露出防止ウエスト周り伸縮自在ボトムズとしてのＬポケット付き綿パン２１Ｌについて、図４１を参照して説明する。本実施の形態８の第２変形例に係るＬポケット付き綿パン２１Ｌの基本的な構造は、上述した本実施の形態７に係るＬポケット付き綿パン２１Ｊとほぼ同様であるので、同一の部分には同一の符号を付して説明を省略する。
【０２８６】
図４１（ａ），（ｂ）に示されるように、第２変形例に係るＬポケット付き綿パン２１Ｌが上述したＬポケット付き綿パン２１Ｊと異なるのは、延出部２３Ｂの内部に伸縮性を有しない生地６を縫付ける代わりに、延出部２３Ｂの折り返し部分を表側から裏側にかけて貫通するように、延出部２３Ｂの中間部分をベルト部２３の長手方向に沿って縫付けた（縫い付け部１６を設けた）点である。
【０２８７】
このようにして縫製されるＬポケット付き綿パン２１Ｌは、収容部２３Ａの表裏の端２３Ａｂがベルト部２３の長手方向に対して略垂直であるため、ウエスト周り伸縮自在の性能を確保しながら見栄え・美観が良好に保たれ、全ての縫製作業をミシン縫いで行うことができ、しかも延出部２３Ｂを縫付ける作業が簡単になるため、量産性をより向上させることができる。
【０２８８】
なお、このような構成とすると、延出部２３Ｂの中間部分をベルト部２３の長手方向に沿って縫付けた縫い付け部１６が外側から見えることになるが、Ｌポケット付き綿パン２１Ｌには複数のベルト通し１２が取付けられており、ベルト部２３の上からベルトを着用するため、縫い付け部１６はベルトの下に隠れて見えなくなる。
【０２８９】
そして、延出部２３Ｂの表側から裏側にかけて貫通するように延出部２３Ｂの中間部分をベルト部２３の長手方向に沿って縫付けているために、図４１（ｂ）に示されるように、着用者等がゴムテープ１０の弾性力に抗して収容部２３Ａから延出部２３Ｂを引き出した場合に、興味本位で延出部２３Ｂの縫付けられていない部分の下端をめくろうとしても、内部構造は見ることができず、延出部２３Ｂの裏側の一部が見えるだけで済むため、着用者等がゴムテープ１０等の内部構造を引き出して伸縮機構を壊してしまうという事態を確実に防止することができる。
【０２９０】
このようにして、本実施の形態８に係る伸縮機構露出防止ウエスト周り伸縮自在ボトムズとしてのＬポケット付き綿パン２１Ｊ，２１Ｋ，２１Ｌにおいては、量産性を損なうことなく、見栄え・美観を良好に保ちつつウエストサイズを伸縮自在とすることができるとともに、着用者等が伸縮機構を壊してしまうという事態を確実に防止できる。
【０２９１】
また、Ｌポケット付き綿パン２１Ｊ，２１Ｋ，２１Ｌのウエスト周りが伸縮する際に、Ｌポケット２２の前中心ＦＣ側の裏側に設けられたタック２８が開閉することによって、Ｌポケット２２の周囲及び前身頃２４にシワがよることがなく、より見栄えの良いウエスト周り伸縮自在ボトムズとなる。したがって、本実施の形態８に係る伸縮機構露出防止ウエスト周り伸縮自在ボトムズとしてのＬポケット付き綿パン２１Ｊ，２１Ｋ，２１Ｌは、請求項１乃至請求項３及び請求項１１の発明に係る伸縮機構露出防止ウエスト周り伸縮自在ボトムズに該当する。
【０２９２】
上記各実施の形態においては、収容部及び延出部をいずれも伸縮機構露出防止ウエスト周り伸縮自在ボトムズの前身頃と共地で作製しており、かつ、収容部及び延出部の表裏を一体として、ベルト部上端で折り曲げる構成とした例についてのみ説明したが、収容部及び延出部の構成はこれに限られるものではない。
【０２９３】
例えば、収容部及び延出部の表側のみを前身頃と共地として、収容部及び延出部の裏側は別の生地として、ベルト部上端で両者の生地を接ぐ構成とすることもできる。ここで、収容部及び延出部の裏側を構成する別の生地としては、収容部の裏側をマーベルトとして延出部の裏側にもマーベルトを用いる構成、収容部及び延出部の裏側を一体として伸縮性を有する生地、例えばパワーネットやゴム生地を用いる構成が考えられる。また、延出部の裏側にゴム生地を用いて、収容部の裏側を前身頃と共地で作製するか、若しくはマーベルトとする構成を採用することもできる。
【０２９４】
また、上記各実施の形態においては、主弾性材としてゴムテープを用いた場合について説明したが、主弾性材としては他にも平ゴム、ゴム製板等の様々な弾性を有する素材を用いることができる。
【０２９５】
本発明を実施するに際しては、伸縮機構露出防止ウエスト周り伸縮自在ボトムズの構造、形状、材質、生地、大きさ、長さ、幅、接続関係、製造方法等についても、上記各実施の形態に限定されるものではない。なお、本発明の実施の形態で挙げている数値は、臨界値を示すものではなく、実施に好適な好適値を示すものであるから、上記数値を若干変更してもその実施を否定するものではない。
【図面の簡単な説明】
【０２９６】
【図１】図１（ａ）は本発明の実施の形態１に係る伸縮機構露出防止ウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。
【図２】図２（ａ），（ｂ），（ｃ）は本発明の実施の形態１に係る伸縮機構露出防止ウエスト周り伸縮自在ボトムズの要部裏面の縫製途中の構成を示す部品展開図である。
【図３】図３（ａ），（ｂ）は本発明の実施の形態１に係る伸縮機構露出防止ウエスト周り伸縮自在ボトムズの縫製が完成した状態の裏側を示す部分拡大図である。
【図４】図４（ａ），（ｂ）は本発明の実施の形態１の第１変形例に係る伸縮機構露出防止ウエスト周り伸縮自在ボトムズの要部裏面の縫製途中の構成を示す部品展開図、（ｃ）は本発明の実施の形態１の第１変形例に係る伸縮機構露出防止ウエスト周り伸縮自在ボトムズの縫製が完成した状態の裏側を示す部分拡大図である。
【図５】図５（ａ）は本発明の実施の形態１の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【図６】図６（ａ）は本発明の実施の形態２に係る伸縮機構露出防止ウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。
【図７】図７（ａ），（ｂ），（ｃ）は本発明の実施の形態２に係る伸縮機構露出防止ウエスト周り伸縮自在ボトムズの要部裏面の縫製途中の構成を示す部品展開図である。
【図８】図８（ａ），（ｂ）は本発明の実施の形態２に係る伸縮機構露出防止ウエスト周り伸縮自在ボトムズの縫製が完成した状態の裏側を示す部分拡大図である。
【図９】図９（ａ），（ｂ）は本発明の実施の形態２の第１変形例に係る伸縮機構露出防止ウエスト周り伸縮自在ボトムズの要部裏面の縫製途中の構成を示す部品展開図、（ｃ）は本発明の実施の形態２の第１変形例に係る伸縮機構露出防止ウエスト周り伸縮自在ボトムズの縫製が完成した状態の裏側を示す部分拡大図である。
【図１０】図１０（ａ）は本発明の実施の形態２の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【図１１】図１１（ａ）は本発明の実施の形態３に係る伸縮機構露出防止ウエスト周り伸縮自在ボトムズとしてのスーツ用ズボンの全体構成を示す正面図、（ｂ）はベルト部の重ね合せ部近傍を拡大して示す部分拡大図、（ｃ）はウエスト周りが伸長した状態を示す部分拡大図である。
【図１２】図１２（ａ），（ｂ），（ｃ）は本発明の実施の形態３に係る伸縮機構露出防止ウエスト周り伸縮自在ボトムズの要部裏面の縫製途中の構成を示す部品展開図である。
【図１３】図１３（ａ），（ｂ）は本発明の実施の形態３に係る伸縮機構露出防止ウエスト周り伸縮自在ボトムズの縫製が完成した状態の裏側を示す部分拡大図である。
【図１４】図１４（ａ），（ｂ）は本発明の実施の形態３の第１変形例に係る伸縮機構露出防止ウエスト周り伸縮自在ボトムズの要部裏面の縫製途中の構成を示す部品展開図、（ｃ）は本発明の実施の形態３の第１変形例に係る伸縮機構露出防止ウエスト周り伸縮自在ボトムズの縫製が完成した状態の裏側を示す部分拡大図である。
【図１５】図１５（ａ）は本発明の実施の形態３の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【図１６】図１６（ａ）は本発明の実施の形態４に係る伸縮機構露出防止ウエスト周り伸縮自在ボトムズとしての婦人用パンツの全体構成を示す正面図、（ｂ）はベルト部の重ね合せ部近傍を拡大して示す部分拡大図、（ｃ）はウエスト周りが伸長した状態を示す部分拡大図である。
【図１７】図１７（ａ），（ｂ），（ｃ）は本発明の実施の形態４に係る伸縮機構露出防止ウエスト周り伸縮自在ボトムズの要部裏面の縫製途中の構成を示す部品展開図である。
【図１８】図１８（ａ），（ｂ）は本発明の実施の形態４に係る伸縮機構露出防止ウエスト周り伸縮自在ボトムズの縫製が完成した状態の裏側を示す部分拡大図である。
【図１９】図１９（ａ），（ｂ）は本発明の実施の形態４の第１変形例に係る伸縮機構露出防止ウエスト周り伸縮自在ボトムズの要部裏面の縫製途中の構成を示す部品展開図、（ｃ）は本発明の実施の形態４の第１変形例に係る伸縮機構露出防止ウエスト周り伸縮自在ボトムズの縫製が完成した状態の裏側を示す部分拡大図である。
【図２０】図２０（ａ）は本発明の実施の形態４の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【図２１】図２１（ａ）は本発明の実施の形態４の第３変形例に係る伸縮機構露出防止ウエスト周り伸縮自在ボトムズの左脇線の近傍を表側から見て示す部分拡大図、（ｂ）は本発明の実施の形態４の第４変形例に係る伸縮機構露出防止ウエスト周り伸縮自在ボトムズの左脇線の近傍を表側から見て示す部分拡大図、（ｃ）は本発明の実施の形態４の第５変形例に係る伸縮機構露出防止ウエスト周り伸縮自在ボトムズの左脇線の近傍を表側から見て示す部分拡大図である。
【図２２】図２２（ａ）は本発明の実施の形態５に係る伸縮機構露出防止ウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。
【図２３】図２３（ａ），（ｂ），（ｃ）は本発明の実施の形態５に係る伸縮機構露出防止ウエスト周り伸縮自在ボトムズの要部裏面の縫製途中の構成を示す部品展開図である。
【図２４】図２４（ａ），（ｂ）は本発明の実施の形態５に係る伸縮機構露出防止ウエスト周り伸縮自在ボトムズの縫製が完成した状態の裏側を示す部分拡大図である。
【図２５】図２５（ａ），（ｂ）は本発明の実施の形態５の第１変形例に係る伸縮機構露出防止ウエスト周り伸縮自在ボトムズの要部裏面の縫製途中の構成を示す部品展開図、（ｃ）は本発明の実施の形態５の第１変形例に係る伸縮機構露出防止ウエスト周り伸縮自在ボトムズの縫製が完成した状態の裏側を示す部分拡大図である。
【図２６】図２６（ａ）は本発明の実施の形態５の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【図２７】図２７（ａ）は本発明の実施の形態６に係る伸縮機構露出防止ウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。
【図２８】図２８（ａ），（ｂ），（ｃ）は本発明の実施の形態６に係る伸縮機構露出防止ウエスト周り伸縮自在ボトムズの要部裏面の縫製途中の構成を示す部品展開図である。
【図２９】図２９（ａ），（ｂ）は本発明の実施の形態６に係る伸縮機構露出防止ウエスト周り伸縮自在ボトムズの縫製が完成した状態の裏側を示す部分拡大図である。
【図３０】図３０（ａ），（ｂ）は本発明の実施の形態６の第１変形例に係る伸縮機構露出防止ウエスト周り伸縮自在ボトムズの要部裏面の縫製途中の構成を示す部品展開図、（ｃ）は本発明の実施の形態６の第１変形例に係る伸縮機構露出防止ウエスト周り伸縮自在ボトムズの縫製が完成した状態の裏側を示す部分拡大図である。
【図３１】図３１（ａ）は本発明の実施の形態６の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【図３２】図３２（ａ）は本発明の実施の形態７に係る伸縮機構露出防止ウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。
【図３３】図３３（ａ），（ｂ），（ｃ）は本発明の実施の形態７に係る伸縮機構露出防止ウエスト周り伸縮自在ボトムズの要部裏面の縫製途中の構成を示す部品展開図である。
【図３４】図３４（ａ），（ｂ）は本発明の実施の形態７に係る伸縮機構露出防止ウエスト周り伸縮自在ボトムズの縫製が完成した状態の裏側を示す部分拡大図である。
【図３５】図３５（ａ），（ｂ）は本発明の実施の形態７の第１変形例に係る伸縮機構露出防止ウエスト周り伸縮自在ボトムズの要部裏面の縫製途中の構成を示す部品展開図、（ｃ）は本発明の実施の形態７の第１変形例に係る伸縮機構露出防止ウエスト周り伸縮自在ボトムズの縫製が完成した状態の裏側を示す部分拡大図である。
【図３６】図３６（ａ）は本発明の実施の形態７の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【図３７】図３７（ａ）は本発明の実施の形態８に係る伸縮機構露出防止ウエスト周り伸縮自在ボトムズとしてのＬポケット付き綿パンの全体構成を示す正面図、（ｂ）はベルト部の重ね合せ部近傍を拡大して示す部分拡大図、（ｃ）はウエスト周りが伸長した状態を示す部分拡大図である。
【図３８】図３８（ａ），（ｂ），（ｃ）は本発明の実施の形態８に係る伸縮機構露出防止ウエスト周り伸縮自在ボトムズの要部裏面の縫製途中の構成を示す部品展開図である。
【図３９】図３９（ａ），（ｂ）は本発明の実施の形態８に係る伸縮機構露出防止ウエスト周り伸縮自在ボトムズの縫製が完成した状態の裏側を示す部分拡大図である。
【図４０】図４０（ａ），（ｂ）は本発明の実施の形態８の第１変形例に係る伸縮機構露出防止ウエスト周り伸縮自在ボトムズの要部裏面の縫製途中の構成を示す部品展開図、（ｃ）は本発明の実施の形態８の第１変形例に係る伸縮機構露出防止ウエスト周り伸縮自在ボトムズの縫製が完成した状態の裏側を示す部分拡大図である。
【図４１】図４１（ａ）は本発明の実施の形態８の第２変形例に係る伸縮機構露出防止ウエスト周り伸縮自在ボトムズの延出部の縫い付け部の近傍を表側から見て示す部分拡大図、（ｂ）は裏側から見て示す部分拡大図である。
【符号の説明】
【０２９７】
１，１Ａ，１Ｂ，１Ｃ，１Ｄ，１Ｅ，１Ｆ，１Ｇ，１Ｈ，１Ｊ，１Ｋ，１Ｌ，１Ｍ，１Ｎ，１Ｐ，２１，２１Ａ，２１Ｂ，２１Ｃ，２１Ｄ，２１Ｅ，２１Ｆ，２１Ｇ，２１Ｈ，２１Ｊ，２１Ｋ，２１Ｌ  伸縮機構露出防止ウエスト周り伸縮自在ボトムズ
２  脇ポケット
２Ａ，２２Ａ  外縁
３，２３  ベルト部
３Ａ，２３Ａ  収容部
３Ｂ，２３Ｂ  延出部
３ａ，３ｂ，２３ａ，２３ｂ  ベルト布ステッチ
４，２４  前身頃
５  袋布
６  伸縮性を有しない生地
１０  主弾性材
１１  伸び止め材
１２  ベルト通し
１３  接着布
１４  両面接着芯
１５，１７，１８，２７，２８  タック
１９  脇中間ポケット
１９Ａ，１９Ｂ，１９Ｃ  ポケット
２０，２０Ａ，２０Ｂ，２０Ｃ  ポケット口
２２  Ｌポケット
１６  縫い付け部
ＦＣ  前中心
ＬＳ，ＲＳ  脇線
【図１】
2009074199.tif 000003
【図２】
2009074199.tif 000004
【図３】
2009074199.tif 000005
【図４】
2009074199.tif 000006
【図５】
2009074199.tif 000007
【図６】
2009074199.tif 000008
【図７】
2009074199.tif 000009
【図８】
2009074199.tif 000010
【図９】
2009074199.tif 000011
【図１０】
2009074199.tif 000012
【図１１】
2009074199.tif 000013
【図１２】
2009074199.tif 000014
【図１３】
2009074199.tif 000015
【図１４】
2009074199.tif 000016
【図１５】
2009074199.tif 000017
【図１６】
2009074199.tif 000018
【図１７】
2009074199.tif 000019
【図１８】
2009074199.tif 000020
【図１９】
2009074199.tif 000021
【図２０】
2009074199.tif 000022
【図２１】
2009074199.tif 000023
【図２２】
2009074199.tif 000024
【図２３】
2009074199.tif 000025
【図２４】
2009074199.tif 000026
【図２５】
2009074199.tif 000027
【図２６】
2009074199.tif 000028
【図２７】
2009074199.tif 000029
【図２８】
2009074199.tif 000030
【図２９】
2009074199.tif 000031
【図３０】
2009074199.tif 000032
【図３１】
2009074199.tif 000033
【図３２】
2009074199.tif 000034
【図３３】
2009074199.tif 000035
【図３４】
2009074199.tif 000036
【図３５】
2009074199.tif 000037
【図３６】
2009074199.tif 000038
【図３７】
2009074199.tif 000039
【図３８】
2009074199.tif 000040
【図３９】
2009074199.tif 000041
【図４０】
2009074199.tif 000042
【図４１】
2009074199.tif 000043